(57)【要約】      （修正有）【課題】落雷による偏波変動で生じるエラーを抑制する。【解決手段】光通信システム４の光伝送装置２は、第１信号光を第１ルートから受信する第１受信部と、偏波状態を示すパラメータの一定時間内の変化量であって前記第１ルートから受信した前記第１信号光の前記変化量である第１偏波変動量を検出する検出部とを備える。検出部は、第１ルートからの第１信号光の第１偏波変動量を検出し、第１偏波変動量が第１閾値を超えた場合、第２ルートの第２信号光を受信する。【選択図】図２
2018207181.tif 000002
【特許請求の範囲】
【請求項１】
第１信号光を第１ルートから受信する第１受信部と、
偏波状態を示すパラメータの一定時間内の変化量であって前記第１ルートから受信した前記第１信号光の前記変化量である第１偏波変動量を検出する検出部と、
検出された前記第１偏波変動量の絶対値が第１閾値を超えた場合に、前記第１ルートとは異なる第２ルートから第２信号光を受信する第２受信部と、
を有することを特徴とする光伝送装置。
【請求項２】
前記第１受信部は、前記第２信号光の前記受信の開始後に検出された前記第１偏波変動量の絶対値が前記第１閾値より小さい第２閾値を一定の時間下回り続けた場合に、前記第１信号光を受信することを
特徴とする請求項１に記載の光伝送装置。
【請求項３】
前記検出部は更に、前記第２ルートからの前記第２信号光の前記変化量である第２偏波変動量を検出し、
前記第２受信部は、前記第１偏波変動量の絶対値が前記第１閾値を超える前に、検出された前記第２偏波変動量の絶対値が第３閾値を超えた場合、前記第２信号光の前記受信を保留することを
特徴とする請求項１又は２に記載の光伝送装置。
【請求項４】
前記第１受信部は、前記第２信号光の前記受信が開始する前に前記第１信号光の前記受信が中断した場合、前記第１閾値を減少させることを
特徴とする請求項１乃至３のいずれか１項に記載の光伝送装置。
【請求項５】
前記第１受信部は、前記第１信号光の前記受信と前記第２信号光の前記受信とが繰り返されながら前記第１信号光の前記受信が中断されない場合、前記第１閾値を増加させることを
特徴とする請求項２乃至４のいずれか１項に記載の光伝送装置。
【請求項６】
前記第１偏波変動量の絶対値が前記第１閾値を超える前は前記第１受信部が前記第１信号光から再生した情報を出力し、前記第１偏波変動量の絶対値が前記第１閾値を超えた場合に、前記第２受信部が前記第２信号光から再生した情報を出力することを
特徴とする請求項１乃至５のいずれか１項に記載の光伝送装置。
【請求項７】
第１ルートからの第１信号光と第２ルートからの第２信号光とを受信するルート切替え部と、
偏波状態を示すパラメータの一定時間内の変化量であって前記第１信号光の前記変化量である第１偏波変動量を検出する検出部と、
第３受信部とを有し、
前記ルート切替え部は、前記第１偏波変動量の絶対値が第１閾値を超える前は前記第１信号光を前記第３受信部に送信し、前記第１偏波変動量の絶対値が前記第１閾値を超えた場合に、前記第２信号光を前記第３受信部に送信することを
特徴とする光伝送装置。
【請求項８】
光伝送路からの信号光を受信する受信部と、
偏波状態を示すパラメータの一定時間内の変化量であって前記受信部が受信する光の前記変化量である第１偏波変動量を検出する検出部とを有し、
前記受信部は、前記光伝送路である第１光伝送路からの第１信号光を受信し、検出された前記第１偏波変動量の絶対値が前記第１閾値を超えた場合に、前記第１信号光の変調方法とは異なる方法で変調されビットレートが前記第１信号光より低い第２信号光を、前記光伝送路を介して前記受信部に接続された装置に、前記光伝送路であって前記第１光伝送路とは異なる第２光伝送路または前記第１光伝送路を介して送信させる
光伝送装置。
【請求項９】
第１信号光を第１ルートから受信し、
偏波状態を示すパラメータの一定時間内の変化量であって前記第１ルートから受信した光の前記変化量である第１偏波変動量を検出し、
検出された前記第１偏波変動量の絶対値が第１閾値を超えた場合に、前記第１ルートとは異なる第２ルートから第２信号光を受信する
ことを特徴とする光伝送方法。
【発明の詳細な説明】
【技術分野】
【０００１】
本発明は、光伝送装置および光伝送方法に関する。
【背景技術】
【０００２】
光通信システムは、送信装置から受信装置に伝送経路を介して光信号を伝送するシステムである。光信号の品質のうち偏波モード分散（Polarization Mode Dispersion）に起因する品質を監視して、運用中の伝送経路で通信障害が発生する前に、予備の伝送経路を介して光信号を伝送するシステムが知られている（例えば、特許文献１参照）。
【０００３】
偏波モード分散は、信号光の各偏波の伝送速度に差異が生じる現象である。偏波モード分散は、伝送経路である光ファイバのコアに複屈折率が発生することで起きる。コアの複屈折率は、光ファイバに加わる外力(環境の温度変化や機械的な振動)によりランダムに発生する。偏波モード分散の変動は高速であり、偏波モード分散による光信号の品質変動を補償により抑制することは容易ではない。このため、運用中の伝送経路で通信障害が発生する前に、予備の伝送経路を介して光信号を伝送するシステムが提案されている。
【０００４】
ところで、送電線に併設した光ファイバ複合架空地線（Optical Ground Wire、以下ＯＰＧＷと呼ぶ）を伝搬する光の偏波状態を検出することで、落雷や事故の発生位置を特定する技術が報告されている（例えば、特許文献２参照）。また、光通信システムの伝送速度を飛躍的に増大させる技術として、コヒーレント光通信が報告されている（例えば、特許文献３及び４参照）。
【先行技術文献】
【特許文献】
【０００５】
【特許文献１】特開２０１３−１４１０４８号公報
【特許文献２】特開平１０−１４８６５４号公報
【特許文献３】特開２０１３−１６２１３６号公報
【特許文献４】特開２０１２−１１９７５９号公報
【発明の概要】
【発明が解決しようとする課題】
【０００６】
光の干渉性を利用したコヒーレント光通信は、高速通信を可能とする技術である。コヒーレント光通信では、信号光と局発光の干渉により生じた信号を検出するので、信号光の偏波状態が変動すると検出される信号（以下、検出信号と呼ぶ）も変動する。検出信号から、偏波状態の変動(以下、偏波変動と呼ぶ)の影響を除去する技術は既に開発されている。しかし偏波変動が激しい場合には、偏波変動の影響を除去することは困難である。その結果、信号光により伝達しようとする情報が、受信側の伝送装置から出力されない伝送エラーが発生する。
【０００７】
コヒーレント光通信は、ＯＰＧＷを伝送経路として利用する光通信システムの高速化にも有益である。しかし、ＯＰＧＷを伝送経路として利用する光通信システムには、ＯＰＧＷを伝搬する信号光の偏波状態が落雷等により激しく変動するので伝送エラーが発生し易いという問題がある。そこで本発明は、このような問題を解決することを課題とする。
【課題を解決するための手段】
【０００８】
上記の問題を解決するために、一つの実施の形態では、光伝送装置は、第１信号光を第１ルートから受信する第１受信部と、偏波状態を示すパラメータの一定時間内の変化量であって前記第１ルートから受信した前記第１信号光の前記変化量である第１偏波変動量を検出する検出部と、検出された前記第１偏波変動量の絶対値が第１閾値を超えた場合に、前記第１ルートとは異なる第２ルートから第２信号光を受信する第２受信部とを有する。
【発明の効果】
【０００９】
一つの側面では、本発明によれば、ＯＰＧＷ等を伝送経路として利用する光通信システムにおいて落雷等による伝送エラーが抑制される。
【図面の簡単な説明】
【００１０】
【図１】図１は、実施の形態１の光伝送装置２が適用された光通信システム４の一例を示す図である。
【図２】図２は、光通信システム４における信号光６ａ、６ｂの流れを示す図である。
【図３】図３は、ＯＰＧＷの一例を示す斜視図である。
【図４】図４は、ＯＰＧＷにおける落雷の影響を説明する図である。
【図５】図５は、落雷による偏波面の変動の一例を示す図である。
【図６】図６は、実施の形態１の光伝送装置１０２が適用された光通信システムの別の例を示す図である。
【図７】図７は、構成例１の受信部２０に相当する部分、構成例１の検出部２２に相当する部分、および構成例１の送信部８に相当する部分を示す図である。
【図８】図８は、第１トランスポンダ２４ａと判定部３２のハードウエア構成の一例を示す図である。
【図９】図９は、図８における信号の流れを示す図である。
【図１０】図１０は、第１Ｙケーブル３４ａに接続された電気光変換回路５４のハードウエア構成の一例を示す図である。
【図１１】図１１は、図１０における信号の流れを示す図である。
【図１２】図１２は、判定部３２の不揮発性メモリ１６０に記録されるプログラムおよびデータファイル９４を示す図である。
【図１３】図１３は、第１記録プログラム９２ａの実行に用いられる第１履歴テーブル９６ａの一例を示す図である。
【図１４】図１４は、第１判定プログラム９０ａの実行に用いられる閾値テーブル１０８の一例を示す図である。
【図１５】図１５は、待機プログラム６６のフローチャートである。
【図１６】図１６は、切替えプログラム６７のフローチャートである。
【図１７】図１７は、第１記録プログラム９２ａのフローチャートである。
【図１８】図１８は、第１判定プログラム９０ａのフローチャートの一例である。
【図１９】図１９は、第１判定プログラム９０ａの変形例を示す図である。
【図２０】図２０は、実施の形態２の判定部３２の不揮発性メモリ１６０に記録されるプログラムおよびデータファイル９４を示す図である。
【図２１】図２１は、第２判定プログラム９０ｂのフローチャートの一例である。
【図２２】図２２は、第２判定プログラム９０ｂのフローチャートの一例である。
【図２３】図２３は、実施の形態２の光伝送装置の動作の一例を示す図である。
【図２４】図２４は、実施の形態２の第２判定プログラム９０ｂの変形例である。
【図２５】図２５は、判定部３２の不揮発性メモリ１６０に記録されるプログラムおよびデータファイル３９４を示す図である。
【図２６】図２６は、第１フラグ１０９ａの一例を示す図である。
【図２７】図２７は、監視プログラム９３のフローチャートの一例である。
【図２８】図２８は、監視プログラム９３のフローチャートの一例である。
【図２９】図２９は、第３判定プログラム９０ｃのフローチャートの一例である。
【図３０】図３０は、判定部３２の不揮発性メモリ１６０に記録されるプログラムおよびデータファイル４９４を示す図である。
【図３１】図３１は、実施の形態４のデータが記録された第１履歴テーブル９６ａの一例を示す図である。
【図３２】図３２は、第１調整プログラム４０２ａの実行に使用する第２フラグ１０９ｂの一例を示す図である。
【図３３】図３３は、第４判定プログラム９０ｄのフローチャートの一例である。
【図３４】図３４は、第１調整プログラム４０２ａのフローチャートの一例である。
【図３５】図３５は、第１閾値１１２ａを減少させる手順の一例を説明する図である。
【図３６】図３６は、減少させた第１閾値１１２ａと第１偏波変動量４６ａの関係を示す図である。
【図３７】図３７は、判定部３２の不揮発性メモリ１６０に記録されるプログラムおよびデータファイル４９４を示す図である。
【図３８】図３８は、第２調整プログラム４０２ｂのフローチャートの一例である。
【図３９】図３９は、第１閾値１１２ａを増加させる手順の一例を説明する図である
【図４０】図４０は、増加させた第１閾値１１２ａと第１偏波変動量４６ａの関係を示す図である。
【図４１】図４１は、実施の形態６の光伝送装置６０２が適用された光通信システム６０４の一例を示す図である。
【図４２】図４２は、光通信システム６０４における信号光６ａ、６ｂの流れを示す図である。
【図４３】図４３は、実施の形態６の光伝送装置１６０２が適用された光通信システムの別の例を示す図である
【図４４】図４４は、図４３における信号光６ａ、６ｂの流れを示す図である。
【図４５】図４５は、判定部６３２の不揮発性メモリ１６０に記録されたプログラムおよびデータファイル６９４を示す図である。
【図４６】図４６は、第５判定プログラム９０ｅのフローチャートの一例である。
【図４７】図４７は、実施の形態７の光伝送装置７０２が適用された光通信システム７０４の一例を示す図である。
【図４８】図４８は、光通信システム７０４における信号光６ａ、７０６ｂの流れを示す図である。
【図４９】図４９は、実施の形態７の光伝送装置１７０２が適用された光通信システムの別の例を示す図である。
【図５０】図５０は、図４９における信号の流れを示す図である。
【図５１】図５１は、第４トランスポンダ２４ｄのハードウエア構成の一例を示す図である。
【図５２】図５２は、第４トランスポンダ２４ｄにおける信号の流れの一例を説明する図である。
【図５３】図５３は、判定部７３２の不揮発性メモリ１６０に記録されるプログラムおよびデータファイル７９４を示す図である。
【図５４】図５４は、第６判定プログラム９０ｆのフローチャートの一例である。
【図５５】図５５は、実施の形態７の変形例を示す図である。
【図５６】図５６は、図５５における信号の流れを示す図である。
【図５７】図５７は、変形例の別の例を示す図である。
【図５８】図５８は、図５７における信号の流れを示す図である。
【発明を実施するための形態】
【００１１】
以下、図面にしたがって本発明の実施の形態について説明する。但し、本発明の技術的範囲はこれらの実施の形態に限定されず、特許請求の範囲に記載された事項とその均等物まで及ぶものである。図面が異なっても同じ構造を有する部分等には同一の符号を付し、その説明を省略する。
【００１２】
（実施の形態１）
（Ａ）システム
図１は、実施の形態１の光伝送装置２が適用された光通信システム４の一例を示す図である。図２は、光通信システム４における信号光６ａ、６ｂの流れを示す図である。光通信システム４は例えば、送電線網の管理に用いられる。
【００１３】
光通信システム４は、光伝送装置２（図１参照）を有する。光伝送装置２は、受信部２０と検出部２２とを有する。
【００１４】
光通信システム４は更に、光伝送装置３を有する。光伝送装置３は、送信部８を有する。送信部８は、光伝送装置２に信号光６ａ、６ｂ（図２参照）を送信する。
【００１５】
光通信システム４は更に、光伝送装置２と光伝送装置３とを接続する第１ルート１０ａを有する。光通信システム４は更に、光伝送装置２と光伝送装置３とを接続する第１ルート１０ａとは異なる第２ルート１０ｂを有する。
【００１６】
光伝送装置３の送信部８は、ある情報（以下、伝送情報と呼ぶ）を伝達するための第１信号光６ａを、第１ルート１０ａを介して光伝送装置２に送信する。送信部８は更に、第１信号光６ａを送信しながら、この伝送情報（すなわち、第１信号光６ａの伝送情報）を伝達するための第２信号光６ｂを、第２ルート１０ｂを介して光伝送装置２に送信する。すなわち、光通信システム４は、冗長化されている。第１信号光６ａおよび第２信号光６ｂは例えば、伝送情報の伝達のために位相が変調された光である。第１信号光６ａおよび第２信号光６ｂは、周波数が変調された光であってもよい。
【００１７】
第１ルート１０ａおよび第２ルート１０ｂの長さは例えば、１０〜１００ｋｍである。第１ルート１０ａおよび第２ルート１０ｂの間隔は例えば、光伝送装置２、３の近傍を除けば１０〜７０ｋｍである。すなわち、第２ルート１０ｂは両端を除けば、第１ルート１０ａから十分離れている。
【００１８】
第１ルート１０ａは、例えばＯＰＧＷを通るルートである。第２ルート１０ｂは例えば、第１ルート１０ａのＯＰＧＷとは異なるＯＰＧＷを通るルートである。ＯＰＧＷは、高圧送電線１２を雷の直撃から保護するための避雷用アース線（架空地線）の一種である。ＯＰＧＷは例えば、支持鉄塔１５により支えられた高圧送電線１２の上方に架け渡される。
【００１９】
図３は、ＯＰＧＷの一例を示す斜視図である。ＯＰＧＷは例えば、光ファイバ１４、光ファイバ１４が内側を貫通する管１６（例えば、アルミ管）、および旋回しながら管１６に巻き付いた複数の導線（導電性の配線）１８とを有する。
【００２０】
第１ルート１０ａは例えば、旋回しながら延在する導線１８が巻き付いた領域１９（管１６の外表面に囲われた領域）を貫通する光ファイバ１４を通る。図３に示す例では、光ファイバ１４は１本であるが、ＯＰＧＷ内部の空洞を通る光ファイバは複数であってもよい。
【００２１】
第２ルート１０ｂは例えば、第１ルート１０ａのＯＰＧＷとは異なるＯＰＧＷを貫通する光ファイバを通るルートである。すなわち、第２ルート１０ｂは、第１ルート１０ａが通る領域１９の外側を通るルートである。
【００２２】
―ＯＰＧＷにおける落雷の影響―
図４は、ＯＰＧＷにおける落雷の影響を説明する図である。送電線の近くで落雷があると、ＯＰＧＷは落雷による電磁波に曝される。するとＯＰＧＷの導線１８には、螺線状の電流３６（図４参照）が流れる。この電流３６により、ＯＰＧＷの外側にはＯＰＧＷを周回する外部磁界３８が発生し、ＯＰＧＷの内側にはＯＰＧＷを貫通する内部磁界４０が発生する。この内部磁界４０によるファラデー効果により、光ファイバ１４を伝搬する信号光の偏波面の状態が激しく変動する。偏波面は、電界の振動の向きと電磁波の伝搬方向とを含む面である。
【００２３】
図５は、落雷による偏波面の変動の一例を示す図である。縦軸は、偏波変動量の絶対値である。偏波変動量の物理的意味については、後述する。横軸は、落雷地点とＯＰＧＷの距離（最短距離）である。横軸および縦軸は、線形軸である。
【００２４】
図５に示すように偏波変動量の絶対値は、落雷地点とＯＰＧＷの距離が短くなるに従って急激に増加する。このため、信号光（例えば、第１信号光６ａ）が伝搬するＯＰＧＷの近くに落雷があると、受信した信号光をデータ（すなわち、伝送情報）に変換できないエラーが光伝送装置２で発生する。
【００２５】
上述した様に、第１信号光６ａは、位相または周波数が変調された光（以下、コヒーレント変調光と呼ぶ）である。この様な信号光の復調には、信号光と局発光を干渉させるホモダイン検波またはヘテロダイン検波が用いられる。
【００２６】
信号光の偏波面が変動すると、信号光と局発光との干渉光の振幅が変動する。このため、コヒーレント変調光の復調では、干渉光の振幅から偏波面の変動の影響が除去した信号が検出される。しかし、偏波面の変動が激しい場合には、偏波面の変動の影響の除去が困難になる。その結果、伝送エラーが発生する。
【００２７】
（Ｂ）光伝送装置
（１）構成および動作
（１−１）構成例１
光伝送装置２の受信部２０（図２参照）は、伝送情報を伝達するための第１信号光６ａを第１ルート１０ａから受信しながら、第１信号光６ａの伝送情報と同じ情報を伝達するための第２信号光６ｂを第１ルートとは異なる第２ルートから受信する。
【００２８】
検出部２２は、第１ルート１０ａからの光（例えば、第１信号光６ａ）の偏波変動量である第１偏波変動量を検出する。偏波変動量は、光の偏波状態を示すパラメータの一定時間内の変化量である。
【００２９】
受信部２０は、検出部２２が検出した第１偏波変動量を監視して、第１偏波変動量の絶対値が第１閾値を超える前は第１信号光６ａにより伝達される伝送情報４２を出力する。受信部２０は、第１偏波変動量の絶対値が第１閾値を超えた後は、第２信号光６ｂにより伝達される伝送情報４２を出力する。
【００３０】
「光の偏波状態を示すパラメータ」とは例えば、信号光と局発光（光伝送装置２で生成されるレーザ光）との干渉により生じる電磁波（すなわち、干渉光）の偏波面の回転速度である。「一定時間内の変化量」とは、ある時刻におけるパラメータの値Ｘ0と一定時間経過後のパラメータの値Ｘ１の差分（＝Ｘ１-Ｘ０）である。
【００３１】
「一定時間」は例えば、信号光（例えば、第１信号光６ａ）の変調周期（例えば、２５ｎｓ）より十分長く、落雷の継続時間（例えば、１０μｓ〜１００ｍｓ）より短い時間である。「一定時間」は例えば、１００ｎｓ以上１０μｓ以下である。
【００３２】
第１閾値は、受信部２０による第１信号光６ａの伝送情報４２への変換が可能な偏波変動の大きさである。第１閾値は例えば、単位時間当たりの値に換算した場合、１〜４０krad/secである。
【００３３】
以上のように、光伝送装置２は、第１ルート１０ａからの光の偏波変動量を監視して偏波変動量が第１閾値を超えた場合、第１ルート１０ａの信号光から得られる伝送情報４２に替えて、第２ルート１０ｂの信号光から得られる伝送情報４２を出力する。
【００３４】
すなわち光伝送装置２は、落雷による伝送エラーが発生する前に、第１ルート１０ａからの伝送情報４２の出力を停止し、例えば雷から十分に離れた第２ルート１０ｂからの伝送情報４２の出力を開始する。従って光伝送装置２によれば、落雷による伝送エラーが抑制される。
【００３５】
（１−２）構成例２
図６は、実施の形態１の光伝送装置１０２が適用された光通信システムの別の例を示す図である。光通信システム１０４によれば、双方向通信が可能になる。
【００３６】
図６中の太い実線または太い破線で示された信号線は、光線路（例えば、光導波路や光ファイバ）を示す（後述する図４３等についても同様）。図６中の細い実線または細い破線で示された信号線は、電気線路（例えば、電気配線）を示す（後述する図４３等についても同様）。
【００３７】
光通信システム１０４は、光伝送装置１０２、別の光伝送装置１０３、および第１ルート１０ａ〜第４ルート１０ｄを有する。光伝送装置１０２は、構成例１（図１参照）の光伝送装置２に相当する。光伝送装置１０３は、構成例１の光伝送装置３に相当する。
【００３８】
−光伝送装置−
光伝送装置１０２は、第１トランスポンダ２４ａ、第２トランスポンダ２４ｂ、判定部３２、第１Ｙケーブル３４ａ、および第２Ｙケーブル３４ｂを有する。
【００３９】
光伝送装置１０３は、光伝送装置１０２と実質的に同じ構造を有する。更に光伝送装置１０３は、光伝送装置１０２と実質的に同じ動作をするように構成されている。
従って、光伝送装置１０３の説明は省略または簡単にする。
【００４０】
（１−２−１）トランスポンダ
第１トランスポンダ２４ａは、第１受信部２６ａ、第１送信部２８ａ、および第１検出部３０ａを有する。同様に、第２トランスポンダ２４ｂは、第２受信部２６ｂ、第２送信部２８ｂ、および第２検出部３０ｂを有する。
【００４１】
第１受信部２６ａと第２受信部２６ｂは、実質的に同じ構造と機能とを有する。同様に第１送信部２８ａと第２送信部２８ｂは、実質的に同じ構造と機能とを有する。更に第１検出部３０ａと第２検出部３０ｂは、実質的に同じ構造と機能とを有する。
【００４２】
（１−２−２）判定部
判定部３２は、第１信号光６ａの第１偏波変動量４６ａに基づいた判定を行う。判定部３２は更に、この判定の結果に基づいて、第１受信部２６ａと第２受信部２６ｂとを制御する。
【００４３】
（１−２−３）Ｙケーブル
第１Ｙケーブル３４ａは、ルータやＬ２スイッチ等の通信機器（図示せず）に接続された第１ポートＰ１を有する。第１Ｙケーブル３４ａは更に、第１受信部２６ａに接続された第２ポートＰ２と第２受信部２６ｂに接続された第３ポートＰ３とを有する。
【００４４】
第２Ｙケーブル３４ｂは、ルータやＬ２スイッチ等の通信機器（図示せず）に接続された第１ポートＰ１を有する。第２Ｙケーブル３４ｂは更に、第１送信部２８ａに接続された第２ポートＰ２と第２送信部２８ｂに接続された第３ポートＰ３とを有する。
【００４５】
第１Ｙケーブル３４ａは、第２ポートＰ２に入射した信号光を第１ポートＰ１から出射する。第１Ｙケーブル３４ａは更に、第３ポートＰ３に入射した信号光を第１ポートＰ１から出射する。第２Ｙケーブル３４ｂは、第１ポートＰ１に入射した信号光を分割して、第２ポートＰ２と第３ポートＰ３から出射する。
【００４６】
第１Ｙケーブル３４ａおよび第２Ｙケーブル３４ｂは例えば、方向性結合器を有する光カプラまたは平面導波路を有するＹ分岐器である。
【００４７】
（１−２−４）ルート
第１ルート１０ａは、光伝送装置１０３の第１送信部２８ａと光伝送装置１０２の第１受信部２６ａとを接続する。第２ルート１０ｂは、光伝送装置１０３の第２送信部２８ｂと光伝送装置１０２の第２受信部２６ｂとを接続する。
【００４８】
第３ルート１０ｃは、光伝送装置１０２の第１送信部２８ａと光伝送装置１０３の第１受信部２６ａとを接続する。第４ルート１０ｄは、光伝送装置１０２の第２送信部２８ｂと光伝送装置１０３の第２受信部２６ｂとを接続する。
【００４９】
第３ルート１０ｃは、第１ルート１０ａに沿って延在するルートである。第１ルート１０ａと第３ルート１０ｃは例えば、２本の光ファイバを含むＯＰＧＷ（以下、２芯ＯＰＧＷと呼ぶ）を貫通する。すなわち第１ルート１０ａは、２芯ＯＰＧＷの一方の光ファイバを通るルートである。第３ルート１０ｃは、第１ルート１０ａが貫通する２芯ＯＰＧＷの他方の光ファイバを通るルートである。
【００５０】
同様に、第４ルート１０ｄは、第２ルート１０ｂに沿って延在するルートである。第２ルート１０ｂは、２芯ＯＰＧＷの一方の光ファイバを通るルートである。第４ルート１０ｄは、第２ルート１０ｂが貫通する２芯ＯＰＧＷの他方の光ファイバを通るルートである。
【００５１】
構成例１（図１参照）の受信部２０は例えば、光伝送装置１０２の第１受信部２６ａ、光伝送装置１０２の第２受信部２６ｂ、光伝送装置１０２の第１Ｙケーブル３４ａ、および光伝送装置１０２の判定部３２を含むブロックである。
【００５２】
構成例１（図１参照）の検出部２２は例えば、光伝送装置１０２の第１検出部３０ａを含むブロックである。構成例１の検出部２２は、光伝送装置１０２の第２検出部３０ｂを含んでもよい。なお、後述する実施の形態３の検出部２２は、第１検出部３０ａおよび第２検出部３０ｂの両方を含むブロックである。
【００５３】
構成例１（図１参照）の送信部８は例えば、光伝送装置１０３の第１送信部２８ａ、光伝送装置１０３の第２送信部２８ｂ、および光伝送装置１０３の第２Ｙケーブル３４ｂを含むブロックである。
【００５４】
（１−２−５）動作
図７は、構成例１の受信部２０に相当する部分、構成例１の検出部２２に相当する部分、および構成例１の送信部８に相当する部分を示す図である。図７には、信号の流れが示されている。
【００５５】
光伝送装置１０３の第２Ｙケーブル３４ｂは、通信機器（図示せず）から受信した信号光１０６を分割して、光伝送装置１０３の第１送信部２８ａと第２送信部２８ｂとに送出する。信号光１０６は例えば、伝送情報４２を伝達するために強度が変調された光である。
【００５６】
光伝送装置１０３の第１送信部２８ａは、受信した信号光１０６を第１信号光６ａに変換して、光伝送装置１０２の第１受信部２６ａに送信する。同様に、光伝送装置１０３の第２送信部２８ｂは、受信した信号光１０６を第２信号光６ｂに変換して、光伝送装置１０２の第２受信部２６ｂに送信する。
【００５７】
光伝送装置１０２の第１受信部２６ａは、受信した第１信号光６ａを電気信号（以下、第１電気信号と呼ぶ）に変換する。第１受信部２６ａは更に、第１電気信号から伝送情報４２を再生（すなわち、信号光の復調および復号化）する。
【００５８】
第１検出部３０ａは、第１受信部２６ａからデータ４４を取得する。データ４４は、第１電気信号から伝送情報４２を再生する過程で得られる。第１検出部３０ａは、データ４４に基づいて第１信号光６ａの第１偏波変動量４６ａを導出（すなわち、検出）する。第１検出部３０ａは、導出した第１偏波変動量４６ａを判定部３２に送出する。
【００５９】
光伝送装置１０２の第２受信部２６ｂは、受信した第２信号光６ｂを電気信号（以下、第２電気信号と呼ぶ）に変換する。第２受信部２６ｂは更に、第２電気信号から伝送情報４２を再生する。第２受信部２６ｂが再生する伝送情報４２は、第１受信部２６ａが再生する伝送情報４２と同じ情報である。
【００６０】
判定部３２は、受信した第１偏波変動量４６ａの絶対値が第１閾値を超えるか否か判定する。すなわち判定部３２は、第１ルート１０ａからの第１信号光６ａの偏波状態の変動量４６ａを監視する。
【００６１】
判定部３２は、受信した第１偏波変動量４６ａの絶対値が第１閾値を超えたと判定すると、例えば第１検出部３０ａを介して、第１受信部２６ａに第１コマンド４８ａを送信する。判定部３２は更に、第２検出部３０ｂを介して、第２受信部２６ｂに第２コマンド４８ｂを送信する。第１コマンド４８ａは、伝送情報４２の出力を禁止するためのコマンドである。第２コマンド４８ｂは、伝送情報４２の出力を開始させるためのコマンドである。
【００６２】
第１受信部２６ａは、第１コマンド４８ａを受信するまでは第１信号光６ａから再生した伝送情報４２を、第１Ｙケーブル３４ａを介して出力する。第１受信部２６ａは、第１コマンド４８ａを受信すると、伝送情報４２の出力を停止する。第２受信部２６ｂは、第２コマンド４８ｂを受信するまでは、再生した伝送情報４２を出力しない。第２受信部２６ｂは、第２コマンド４８ｂを受信した後は、第１Ｙケーブル３４ａを介して伝送情報４２を出力する。
【００６３】
すなわち、光伝送装置１０２のうち受信部２０（図１参照）に相当する部分は、第１検出部３０ａが検出した第１偏波変動量４６ａを監視して、第１偏波変動量４６ａの絶対値が第１閾値を超える前は、第１受信部２６ａが再生した伝送情報４２を出力する。更に、光伝送装置１０２のうち受信部２０に相当する部分は、第１偏波変動量４６ａの絶対値が第１閾値を超えた後に、第２受信部２６ｂが再生した伝送情報４２を出力する。
【００６４】
第１受信部２６ａは例えば、強度変調された信号光により伝送情報４２を出力する。第２受信部２６ｂについても同様である。
【００６５】
(２)ハードウエア
図８は、第１トランスポンダ２４ａと判定部３２のハードウエア構成の一例を示す図である。図９は、図８における信号の流れを示す図である。
【００６６】
第１トランスポンダ２４ａは、デジタルコヒーレント光伝送のためのトランスポンダである。デジタルコヒーレント光伝送は、電気信号を同相成分と直交成分に分離してベースバンドで信号処理を行うデジタル信号処理(Digital Signal Processing)をコヒーレント光通信に応用した技術である。第１トランスポンダ２４ａと第２トランスポンダ２４ｂは、実質的に同じ構造と機能とを有する。従って、第２トランスポンダ２４ｂの説明は省略する。
【００６７】
（２−１）第１トランスポンダ
第１トランスポンダ２４ａは例えば、偏波多重ＱＰＳＫ(Dual Polarization Quadrature Phase-Shift Keying)に従って変調された信号光を送信および受信するように構成されている。
【００６８】
第１トランスポンダ２４ａは例えば、ＤＳＰ（Digital Signal Processor）チップ５０、第１ルート１０ａに接続された光電気変換回路５２、および第１Ｙケーブル３４ａ（図６参照）に接続された電気光変換回路５４を有する。
【００６９】
ＤＳＰチップ５０は、デジタルコヒーレント光伝送の信号処理に特化したマイクロプロセッサである。ＤＳＰチップ５０は、ハードウエアである。光電気変換回路５２は一端が第１ルート１０ａに接続され、他端がＤＳＰチップ５０に接続されている。電気光変換回路５４は一端が第１Ｙケーブル３４ａに接続され、他端がＤＳＰチップ５０に接続されている。
【００７０】
第１トランスポンダ２４ａは更に、第２Ｙケーブル３４ｂ（図６参照）に接続された光電気変換回路１５２、および第３ルート１０ｃに接続された電気光変換回路１５４を有する。光電気変換回路１５２は一端が第２Ｙケーブル３４ｂに接続され、他端がＤＳＰチップ５０に接続されている。電気光変換回路１５４は一端が第３ルート１０ｃに接続され、他端がＤＳＰチップ５０に接続されている。
【００７１】
第１トランスポンダ２４ａは更に、ＣＰＵ（Central Processing Unit）５６ａ（以下、第１ＣＰＵと呼ぶ）、メモリ５８、不揮発性メモリ６０、第１インターフェイス回路６２ａ、第２インターフェイス回路６２ｂ、およびバス６４を有する。バス６４には、第１ＣＰＵ５６ａ、ＤＳＰチップ５０、メモリ５８、不揮発性メモリ６０、第１インターフェイス回路６２ａ、および第２インターフェイス回路６２ｂが接続されている。
【００７２】
メモリ５８は例えば、ＲＡＭ（Random Access Memory）である（後述するメモリ１５８等についても同様）。不揮発性メモリ６０は例えば、フラッシュメモリである（後述する不揮発性メモリ１６０等についても同様）。
【００７３】
ソフトウエアを実行する第１ＣＰＵ５６ａは、ハードウエアである。後述する第２ＣＰＵ５６ｂについても、同様である。
【００７４】
（２−２−１）第１ルートに接続された光電気変換回路
第１ルート１０ａに接続された光電気変換回路５２は、受信した光（例えば、第１信号光６ａ）を第１電気信号６８ａ（図９参照）と第２電気信号６８ｂとに変換する装置である。光電気変換回路５２は例えば、偏波多重ＱＰＳＫの受信機（例えば、特許文献３参照）である。光電気変換回路５２は例えば、ホモダイン検波を行う回路である。
【００７５】
従って、光電気変換回路５２は、局発光の光源（例えば、半導体レーザ）を有する。局発光の周波数は例えば、第１信号光６ａおよび第２信号光６ｂの周波数と略同じ周波数である。
【００７６】
第１電気信号６８ａは、受信された光のうちの第１方向に偏光した成分（以下、Ｘ偏波と呼ぶ）の位相に対応する信号である。第１電気信号６８ａは例えば、Ｘ偏波の同相成分に対応する電気信号（所謂、Ｉチャネル）とＸ偏波の直交成分に対応する電気信号（所謂、Ｑチャネル）とを有する並列信号である。位相の基準は、局発光（レーザ光）の位相である（以下、同様）。
【００７７】
第２電気信号６８ｂは、受信された光のうちの第１方向に直交する第２方向に偏光した成分（以下、Ｙ偏波と呼ぶ）の位相に対応する信号である。第２電気信号６８ｂは例えば、Ｙ偏波の同相成分（所謂、Ｉチャネル）に対応する電気信号とＹ偏波の直交成分（所謂、Ｑチャネル）に対応する電気信号とを有する並列信号である。
【００７８】
（２−２−２）第１Ｙケーブルに接続された電気光変換回路
第１Ｙケーブル３４ａに接続された電気光変換回路５４は、ＤＳＰチップ５０からの電気信号７０ａ（図９参照）を強度変調された信号光７２ａに変換する回路である。
【００７９】
図１０は、第１Ｙケーブル３４ａに接続された電気光変換回路５４のハードウエア構成の一例を示す図である。図１１は、図１０における信号の流れを示す図である。電気光変換回路５４は、レーザ・ドライバー７６と半導体レーザ７８とを有す。
【００８０】
レーザ・ドライバー７６は、ＤＳＰチップ５０からの電気信号７０ａ（図１１参照）に応答して、半導体レーザ７８に駆動電流を供給する。半導体レーザ７８は、駆動電流に応答して強度変調された信号光７２ａを生成する。生成された信号光７２ａは、光線路を介して第１Ｙケーブル３４ａに送出される。信号光７２ａは、伝送情報４２（図７参照）を伝達するための信号光である。
【００８１】
レーザ・ドライバー７６は、第１ＣＰＵ５６ａからの第１制御信号８０ａに応答して、レーザ・ドライバー７６の駆動を停止する。レーザ・ドライバー７６は、第１ＣＰＵ５６ａからの第２制御信号８０ｂに応答して、半導体レーザ７８の駆動を開始する。
【００８２】
第１制御信号８０ａは、第２インターフェイス回路６２ｂを介してレーザ・ドライバー７６に送られる。第２制御信号８０ｂについても、同様である。
【００８３】
（２−２−３）第２Ｙケーブルに接続された光電気変換回路
第２Ｙケーブル３４ｂに接続された光電気変換回路１５２は、強度変調された信号光７２ｂ（図９参照）を電気信号７０ｂに変換する装置である。信号光７２ｂは、通信機器（図示せず）からの信号光である。信号光７２ｂは例えば、光伝送装置１０３（図７参照）における信号光１０６に相当する。
【００８４】
（２−２−４）第３ルートに接続された電気光変換回路
第３ルート１０ｃに接続された電気光変換回路１５４は、ＤＳＰチップ５０からの第３電気信号６８ｃと第４電気信号６８ｄを、Ｘ偏波の位相とＹ偏波の位相とが変調されたコヒーレント変調光７４（以下、送信光と呼ぶ）に変換する。電気光変換回路１５４は例えば、偏波多重ＱＰＳＫの変調器（所謂、ＩＱ変調器）である（例えば、特許文献４参照）。
【００８５】
第３電気信号６８ｃは例えば、送信光７４のＸ偏波の同相成分に対応する電気信号と、送信光７４のＸ偏波の直交成分に対応する電気信号とを有する並列信号である。第４電気信号６８ｄは例えば、送信光７４のＹ偏波の同相成分に対応する電気信号と、送信光７４のＹ偏波の直交成分に対応する電気信号とを有する並列信号である。
【００８６】
送信光７４例えば、光伝送装置１０３（図７参照）における第１信号光６ａ（または、第２信号光６ｂ）に相当する。
【００８７】
（２−２−５）ＤＳＰチップ
ＤＳＰチップ５０は図９に示すように、デジタル信号処理部８２、誤り訂正部８４、フレーム処理部８６、および偏波検出部８８を有する集積回路である。
【００８８】
デジタル信号処理部８２は、光電気変換回路５２からの第１電気信号６８ａおよび第２電気信号６８ｂをデータ（パラレルなビット列）に変換して、誤り訂正部８４に送出する。デジタル信号処理部８２は、第１電気信号６８ａおよび第２電気信号６８ｂをデータに変換する過程で、信号光（例えば、第１信号光６ａ）のＸ偏波の位相とＹ偏波の位相を算出する。
【００８９】
誤り訂正部８４はデジタル信号処理部８２からのデータの誤りを訂正して、フレーム処理部８６に送出する。フレーム処理部８６は誤りを訂正されたデータを、シリアル化して電気信号７０ａを生成する。
【００９０】
フレーム処理部８６は更に、光電気変換回路１５２からのシリアルな電気信号７０ｂをデータ（パラレルなビット列）に変換して、誤り訂正部８４に供給する。
【００９１】
誤り訂正部８４はフレーム処理部８６からのデータの誤りを訂正して、デジタル信号処理部８２に供給する。デジタル信号処理部８２は誤りを訂正されたデータから、第３電気信号６８ｃと第４電気信号６８ｄを生成する。デジタル信号処理部８２は生成した第３電気信号６８ｃと第４電気信号６８ｄを、電気光変換回路１５４に供給する。
【００９２】
偏波検出部８８は、デジタル信号処理部８２から信号光（例えば、第１信号光６ａ）のＸ偏波の位相を取得する。偏波検出部８８は更に、デジタル信号処理部８２から信号光（例えば、第１信号光６ａ）のＹ偏波の位相を取得する。偏波検出部８８は、Ｘ偏波の位相とＹ偏波の位相に基づいて、信号光（例えば、第１信号光６ａ）の偏波変動量（例えば、第１偏波変動量４６ａ）を導出する。偏波検出部８８は、導出した偏波変動量４６ａを第１インターフェイス回路６２ａ（図８参照）を介して、判定部３２に送出する。
【００９３】
（２−２）判定部
判定部３２は、ＣＰＵ５６ｂ（以下、第２ＣＰＵと呼ぶ）、メモリ１５８、不揮発性メモリ１６０、第３インターフェイス回路６２ｃ、およびバス１６４を有する。バス１６４には、第２ＣＰＵ５６ｂ、メモリ１５８、不揮発性メモリ１６０および第３インターフェイス回路６２ｃが接続される。
【００９４】
光伝送装置１０２（図６参照）の第１受信部２６ａは、光伝送装置１０２の第１トランスポンダ２４ａのうちの光電気変換回路５２、ＤＳＰチップ５０、電気光変換回路５４、第１ＣＰＵ５６ａ、およびメモリ５８により実現される。
【００９５】
光伝送装置１０２の第２受信部２６ｂは、光伝送装置１０２の第２トランスポンダ２４ｂのうちの光電気変換回路５２、ＤＳＰチップ５０、電気光変換回路５４、第１ＣＰＵ５６ａ、およびメモリ５８により実現される。
【００９６】
光伝送装置１０２の判定部３２は、光伝送装置１０２のうちの第２ＣＰＵ５６ｂとメモリ１５８とにより実現される。
【００９７】
光伝送装置１０２の第１検出部３０ａは、光伝送装置１０２の第１トランスポンダ２４ａのうちのＤＳＰチップ５０（特に、偏波検出部８８）により実現される。
【００９８】
光伝送装置１０２の第２検出部３０ｂは、光伝送装置１０２の第２トランスポンダ２４ｂのうちのＤＳＰチップ５０（特に、偏波検出部８８）により実現される。
【００９９】
光伝送装置１０３の第１送信部２８ａは、光伝送装置１０３の第１トランスポンダ２４ａのうちの光電気変換回路１５２、ＤＳＰチップ５０、および電気光変換回路１５４とにより実現される。
【０１００】
光伝送装置１０３の第２送信部２８ｂは、光伝送装置１０３の第２トランスポンダ２４ｂのうちの光電気変換回路１５２、ＤＳＰチップ５０、および電気光変換回路１５４により実現される。
【０１０１】
（３）ソフトウエア
（３−１）プログラムおよびデータ
図８に示すように、第１トランスポンダ２４ａの不揮発性メモリ６０には、待機プログラム６６と切替えプログラム６７とが記録されている。第２トランスポンダ２４ｂの不揮発性メモリ６０についても同様である。
【０１０２】
待機プログラム６６による処理は、一旦始まるとエンドレスに続く処理である。不揮発性メモリ６０には、このようなエンドレスな処理を強制的に終了させるためのプログラム（以下、終了プログラムと呼ぶ）が記録されてもよい（実施の形態２〜７についても同様）。終了プログラムによる強制終了は、割り込み処理である。
【０１０３】
図１２は、判定部３２の不揮発性メモリ１６０に記録されるプログラムおよびデータファイル９４を示す図である。図１２に示すように、不揮発性メモリ１６０には、第１判定プログラム９０ａと第１記録プログラム９２ａとが記録される。不揮発性メモリ１６０には更に、第１履歴テーブル９６ａと閾値テーブル１０８とが記録される。
【０１０４】
不揮発性メモリ１６０には、閾値テーブル１０８に記録されたデータを変更するため割込みプログラム（以下、変更プログラムと呼ぶ）が記録されていてもよい。変更プログラムによる処理は、第１判定プログラム９０ａに対する割り込み処理である。変更プログラムによる処理は、閾値テーブル１０８に記録されたデータを、入力装置（例えば、キーボード等）から入力されるデータに変更する処理である。
【０１０５】
不揮発性メモリ１６０には、第２ＣＰＵ５６ｂが実行するプログラムを強制的に終了させるための終了プログラムが記録されてもよい（実施の形態２〜７についても同様）。
【０１０６】
（３−１−１）第１履歴テーブ
図１３は、第１記録プログラム９２ａの実行に用いられる第１履歴テーブル９６ａの一例を示す図である。図１３に記載された"N"（最後の列の１行目参照）は、０以外の整数である。
【０１０７】
第１履歴テーブル９６ａの１行目の各セルのデータは、２行目以降の各セルに記録されるデータの内容を示している。１行目は省略されてもよい。
【０１０８】
第１履歴テーブル９６ａの１列目の各セルには判定開始日時（実施の形態４参照）が記録される。第１履歴テーブル９６ａの２列目の各セルには判定終了日時（実施の形態４参照）が記録される。実施の形態１では、１列目および２列目は使用されない。従って１列目および２列目は、省略されてもよい。
【０１０９】
３列目以降の奇数番目の列のセルは、第１検出部３０ａが第１偏波変動量４６ａを検出した日時（以下、検出日時と呼ぶ）を記録するためのセルである。４列目以降の偶数番目の列のセルは、第１検出部３０ａが検出した第１偏波変動量４６ａを記録するためのセルである。
【０１１０】
（３−１−２）閾値テーブル
図１４は、第１判定プログラム９０ａの実行に用いられる閾値テーブル１０８の一例を示す図である。閾値テーブル１０８の１行目の各セルには、２行目の各セルに記録されるデータの内容が記録されている。
【０１１１】
閾値テーブル１０８の２行目１列のセルには、第１閾値１１２ａ（例えば、40 krad/sec）が記録されている。閾値テーブル１０８の２行目２列のセルには、第２閾値１１２ｂ（例えば、10 krad/sec）が記録されている。閾値テーブル１０８の２行目３列のセルには、第３閾値１１２ｃ（例えば、40 krad/sec）が記録されている。閾値テーブル１０８の２行目４列のセルには、第４閾値１１２ｄ（例えば、20 krad/sec）が記録されている。
【０１１２】
図１４の第１閾値１１２ａ〜第４閾値１１２ｄの値は一例である。第２閾値１１２ｂは、実施の形態２で利用される。第３閾値は、実施の形態３で利用される。第４閾値１１２ｄは、実施の形態１の変形例で利用される。従って、閾値テーブル１０８の第２〜４列は省略されてもよい。
【０１１３】
（３−２）処理
（３−２−１）待機処理（待機プログラム６６による処理）
第１ＣＰＵ５６ａ（第１及び第２トランスポンダ２４ａ、２４ｂ夫々のＣＰＵ）は、不揮発性メモリ６０（図８参照）から待機プログラム６６と切替えプログラム６７とを読み出して実行する。第１ＣＰＵ５６ａは、待機プログラム６６と切替えプログラム６７とを並行して実行する。第１ＣＰＵ５６ａは、マルチタスク機能を有するＣＰＵである。
【０１１４】
図１５は、待機プログラム６６のフローチャートである。待機プログラム６６は、メイン処理のプログラムである。
【０１１５】
第１ＣＰＵ５６ａは起動されると、待機プログラム６６を実行する。第１ＣＰＵ５６ａは先ず、終了プログラム等による割り込み処理を許可する（ステップＳ２）。ステップＳ２の後、第１ＣＰＵ５６ａは待機する。
【０１１６】
待機プログラム６６は、第１受信部２６ａ（図６参照）および第２受信部２６ｂ夫々により実行される。換言するならば、待機プログラム６６は、第１受信部２６ａおよび第２受信部２６ｂを含む受信部２０（図１参照）により実行される。
【０１１７】
第１ＣＰＵ５６ａは、待機プログラム６６の実行中に終了プログラムの実行が要求されると、待機プログラム６６の実行を中断する。その後、第１ＣＰＵ５６ａは終了プログラムを実行する。終了プログラムの実行により、待機プログラム６６は終了する。終了プログラムは、割り込み処理のためのプログラム（以下、割り込みプログラムと呼ぶ）である。
【０１１８】
終了プログラムの実行を要求するコマンドは例えば、第１トランスポンダ２４ａに接続された入力装置（例えば、キーボード等）から入力される。他のプログラムの終了プログラムについても、同様である。
【０１１９】
（３−２−２）切替え処理（切替えプログラム６７による処理）
図１６は、切替えプログラム６７のフローチャートである。切替えプログラム６７は、割り込みプログラムである。
【０１２０】
第１ＣＰＵ５６ａは、第１インターフェイス回路６２ａ（図９参照）を介して第１コマンド４８ａ（または、第２コマンド４８ｂ）を受信すると、待機プログラム６６の実行を中断して切替えプログラム６７を実行する。第１コマンド４８ａおよび第２コマンド４８ｂは、「（１−２−５）動作」で説明したコマンドである。
【０１２１】
−ステップＳ１０２−
第１ＣＰＵ５６ａは先ず、受信したコマンドが第１コマンド４８ａであるか否か判定する。
【０１２２】
−ステップＳ１０４−
第１ＣＰＵ５６ａは、受信したコマンドが第１コマンド４８ａである場合、第２インターフェイス回路６２ｂを介して第１制御信号８０ａを電気光変換回路５４に送出する。その後、第１ＣＰＵ５６ａは、切替えプログラム６７の実行を終了する。第１制御信号８０ａは、「（２−２−２）第１Ｙケーブルに接続された電気光変換回路」で説明した信号である。第２制御信号８０ｂについても同様である。
【０１２３】
−ステップＳ１０６−
第１ＣＰＵ５６ａは、受信したコマンドが第１コマンド４８ａでない場合、受信したコマンドが第２コマンド４８ｂであるか否か判定する。受信したコマンドが第２コマンド４８ｂでない場合、第１ＣＰＵ５６ａは切替えプログラム６７の実行を終了する。
【０１２４】
−ステップＳ１０８−
第１ＣＰＵ５６ａは、受信したコマンドが第２コマンド４８ｂである場合、第２インターフェイス回路６２ｂを介して第２制御信号８０ｂを電気光変換回路５４に送出する。
【０１２５】
その後、第１ＣＰＵ５６ａは、切替えプログラム６７の実行を終了する。第１ＣＰＵ５６ａは、切替えプログラム６７が終了すると、待機プログラム６６を再開する。
【０１２６】
図１６に示す例では、ステップＳ１０２〜Ｓ１０４は、ステップＳ１０６〜Ｓ１０８の前に実行される。しかし、ステップＳ１０２〜Ｓ１０４は、ステップＳ１０６〜Ｓ１０８の後に実行されてもよい。
【０１２７】
切替えプログラム６７は、第１受信部２６ａ（図６参照）および第２受信部２６ｂ夫々により実行される。換言するならば、切替えプログラム６７は、受信部２０（図１参照）により実行される。
【０１２８】
（３−２−３）第１記録処理（第１記録プログラム９２ａによる処理）
第２ＣＰＵ５６ｂは、不揮発性メモリ１６０（図１２参照）から第１記録プログラム９２ａと第１判定プログラム９０ａとを読み出して実行する。第２ＣＰＵ５６ｂは、第１記録プログラム９２ａと第１判定プログラム９０ａとを並行して実行する。第２ＣＰＵ５６ｂは、マルチタスク機能を有するＣＰＵである。
【０１２９】
図１７は、第１記録プログラム９２ａのフローチャートである。第１記録プログラム９２ａは、第１偏波変動量４６ａの記録のためのプログラムである。
【０１３０】
−ステップＳ２０２−
第２ＣＰＵ５６ｂは起動されると、第１記録プログラム９２ａを実行する。第２ＣＰＵ５６ｂは先ず、終了プログラム等による割り込み処理を許可する。
【０１３１】
−ステップＳ２０４−
ステップＳ２０２の後、第２ＣＰＵ５６ｂは、ＤＳＰチップ５０から新たな第１偏波変動量４６ａ（または最初の第１偏波変動量４６ａ、以下同様）を受信したか否か判定する。第１偏波変動量４６ａ（図７参照）は、第３インターフェイス回路６２ｃを介して受信される。第２ＣＰＵ５６ｂは、新たな第１偏波変動量４６ａを受信していないと判定した場合には、ステップＳ２０４を再度実行する。
【０１３２】
第２ＣＰＵ５６ｂは、新たな第１偏波変動量４６ａを受信したと判定した場合には、ステップＳ２０６に進む。
【０１３３】
−ステップＳ２０６−
第２ＣＰＵ５６ｂは、第１履歴テーブル９６ａ（図１３参照）に新たな第１偏波変動量４６ａを受信した日時と新たな第１偏波変動量４６ａとを記録する。その後、第２ＣＰＵ５６ｂは、ステップＳ２０４に戻る。
【０１３４】
第１履歴テーブル９６ａの２行目以降の各セルの初期値はヌルである。ステップＳ２０４では例えば、検出日時のためのセル９８に、第１偏波変動量４６ａを受信した日時（以下、受信日時と呼ぶ）が記録される。ステップＳ２０４では更に、受信日時を記録したセル９８の次のセル１００に、第１偏波変動量４６ａが記録される。
【０１３５】
受信日時は例えば、各行の左側から右側に向かって順次記録される。ある行において検出日時のためのセル全てにデータが記録された場合、新たに受信される受信日時は次の行の３列目に記録される。第１偏波変動量４６ａについても同様である。但し第２ＣＰＵ５６ｂは、一定のタイミングで記録中の行を改行してもよい（実施の形態４参照）。
【０１３６】
第１記録プログラム９２ａによれば、ＤＳＰチップ５０により検出された第１信号光６ａの第１偏波変動量４６ａとその検出日時が漏れなく、第１履歴テーブル９６ａに記録される。第１記録プログラム９２ａは、判定部３２により実行される。換言するならば、第１記録プログラム９２ａは、判定部３２を含む受信部２０により実行される。
【０１３７】
（３−２−４）第１判定処理（第１判定プログラム９０ａによる処理）
図１８は、第１判定プログラム９０ａのフローチャートの一例である。
【０１３８】
−ステップＳ３０２−
第２ＣＰＵ５６ｂは起動されると、第１判定プログラム９０ａ（図１８参照）を実行する。第２ＣＰＵ５６ｂは先ず、終了プログラム等による割り込み処理を許可する。
【０１３９】
−ステップＳ３０４−
ステップＳ３０２の後、第２ＣＰＵ５６ｂは第１トランスポンダ２４ａに第２コマンド４８ｂを送出する。第２ＣＰＵ５６ｂは、第２トランスポンダ２４ｂに第１コマンド４８ａを送出する。
【０１４０】
第１トランスポンダ２４ａは、第２コマンド４８ｂに応答して伝送情報４２の出力を開始する。一方、第２トランスポンダ２４ｂは、第１コマンド４８ａに応答して伝送情報４２を出力しない。
【０１４１】
ステップＳ３０４により、第１トランスポンダ２４ａおよび第２コマンド４８ｂは初期化される。第１トランスポンダ２４ａの初期化は、第１トランスポンダ２４ａ自身により行われてもよい。同様に、第２トランスポンダ２４ｂの初期化は、第２トランスポンダ２４ｂ自身により行われてもよい。この場合、ステップＳ３０４は省略される。
【０１４２】
−ステップＳ３０６−
ステップＳ３０４の後、第２ＣＰＵ５６ｂは、第１履歴テーブル９６ａ（図１３参照）に記録された最新の第１偏波変動量４６ａの絶対値が閾値テーブル１０８に記録された第１閾値１１２ａより大きいか否か判定する。最新の第１偏波変動量４６ａは、第１履歴テーブル９６ａに最後に記録された第１偏波変動量４６ａを意味する。
【０１４３】
第２ＣＰＵ５６ｂは、第１偏波変動量４６ａの絶対値が第１閾値１１２ａを超えていないと判定した場合には、ステップＳ３０６を再度実行する。
【０１４４】
最新の第１偏波変動量４６ａは、第１履歴テーブル９６ａに記録された検出日時に基づいて検出される。第２ＣＰＵ５６ｂが第１判定プログラム９０ａを実行している間も、第１履歴テーブル９６ａには新しい第１偏波変動量４６ａとその検出日時が記録される。第２ＣＰＵ５６ｂがステップＳ３０６を繰り返す周期は、第１偏波変動量４６ａとその検出日時が記録される周期より短いことが好ましい（後述するステップＳ４０８についても同様）。
【０１４５】
−ステップＳ３０８−
第２ＣＰＵ５６ｂは、最新の第１偏波変動量４６ａの絶対値が第１閾値１１２ａを超えていると判定した場合には、伝送情報４２を出力させるトランスポンダを第１トランスポンダ２４ａから第２トランスポンダ２４ｂに切り替える。
【０１４６】
具体的には例えば、第２ＣＰＵ５６ｂは、第１トランスポンダ２４ａに第１コマンド４８ａを送信と共に、第２トランスポンダ２４ｂに第２コマンド４８ｂを送信する。ステップＳ３０８の後、第２ＣＰＵ５６ｂは第１判定処理を終了する。
【０１４７】
第１判定プログラム９０ａは、判定部３２（図７参照）により実行される。換言するならば、第１判定プログラム９０ａは、判定部３２を含む受信部２０（図１参照）により実行される。
【０１４８】
（４）光伝送方法
以上のように、実施の形態１の光伝送装置２は、伝送情報４２を伝達するための第１信号光６ａを第１ルート１０ａから受信しながら、伝送情報４２を伝達するための第２信号光６ｂを第１ルート１０ａとは異なる第２ルート１０ｂから受信する。
【０１４９】
光伝送装置２は、偏波状態を示すパラメータの一定時間内の変化量であって第１ルート１０ａからの光の上記変化量である第１偏波変動量４６ａを監視する。そして光伝送装置２は、第１偏波変動量４６ａの絶対値が第１閾値１１２ａを超える前は、第１信号光６ａにより伝達された伝送情報４２を出力する。光伝送装置２は更に、第１偏波変動量４６ａの絶対値が第１閾値１１２ａを超えた後は、第２信号光６ｂにより伝達された伝送情報４２を出力する。
【０１５０】
（５）変形例
（５−１）変形例１
図１９は、第１判定プログラム９０ａの変形例を示す図である。図１９に示すステップのうち破線で示すステップは、図１８のフローチャートに含まれるステップである。従って、破線で示すステップの説明は省略または簡単にする。変形例によれば、落雷以外の単発的な要因によるトランスポンダの切替えが抑制される。
【０１５１】
−ステップＳ４０２−
ステップＳ３０４の後、第２ＣＰＵ５６ｂは先ず、第１履歴テーブル９６ａ（図１３参照）を参照して最新の第１偏波変動量４６ａの絶対値が、閾値テーブル１０８（図１４参照）に記録された第４閾値１１２ｄより大きいか否か判定する。最新の第１偏波変動量４６ａの絶対値が第４閾値を超えない場合、第２ＣＰＵ５６ｂはステップＳ４０２を再度実行する。
【０１５２】
第４閾値１１２ｄは例えば、０より大きく第１閾値（例えば、１〜４０krad/sec）より小さい値である。第４閾値１１２ｄは例えば、１〜２０krad/secである。
【０１５３】
第２ＣＰＵ５６ｂは、最新の第１偏波変動量４６ａの絶対値が第４閾値１１２ｄより大きいと判定した場合、ステップＳ４０４に進む。
【０１５４】
−ステップＳ４０４−
第２ＣＰＵ５６ｂは、タイマーの待ち時間Ｔ１をｔ１に設定する。実施の形態１のタイマーは、ソフトウエア上のタイマーである（後述する実施の形態２〜７のタイマーについても同様）。ｔ１は例えば、１〜１５分である。
【０１５５】
−ステップＳ４０６−
ステップＳ４０４の後、第２ＣＰＵ５６ｂは、タイマーのカウントダウンを開始する。
【０１５６】
−ステップＳ３０６−
ステップＳ４０６の後、第２ＣＰＵ５６ｂは、第１履歴テーブル９６ａに記録された最新の第１偏波変動量４６ａの絶対値が閾値テーブル１０８に記録された第１閾値１１２ａより大きいか否か判定する。第２ＣＰＵ５６ｂは、第１偏波変動量４６ａの絶対値が第１閾値１１２ａを超えていないと判定した場合には、ステップＳ４０８に進む。第２ＣＰＵ５６ｂは、第１偏波変動量４６ａの絶対値が第１閾値１１２ａを超えていると判定した場合には、ステップＳ４１２に進む。
【０１５７】
−ステップＳ４０８−
第２ＣＰＵ５６ｂは、タイマーの待ち時間Ｔ１が０であるか否か判定する。第２ＣＰＵ５６ｂは、タイマーの待ち時間Ｔ１が０でないと判定した場合、ステップＳ３０６に戻る。第２ＣＰＵ５６ｂは、タイマーの待ち時間Ｔ１が０であると判定した場合には、ステップＳ４１０に進む。
【０１５８】
−ステップＳ４１０−
第２ＣＰＵ５６ｂは、タイマーのカウントダウンを中止して、ステップＳ４０２に戻る。
【０１５９】
−ステップＳ４１２−
第２ＣＰＵ５６ｂは、タイマーのカウントダウンを中止して、ステップＳ３０８に進む。
【０１６０】
−ステップＳ３０８−
第２ＣＰＵ５６ｂは、伝送情報４２を出力させるトランスポンダを第１トランスポンダ２４ａから第２トランスポンダ２４ｂに切り替える。その後、第２ＣＰＵ５６ｂは、変形例のプログラムを終了する。
【０１６１】
以上のように変形例によれば、第１偏波変動量４６ａの絶対値が第４閾値を超えた後の一定時間ｔ１以内に、第１偏波変動量４６ａの絶対値が第１閾値を超えた場合に、伝送情報を出力するトランスポンダが第２トランスポンダ２４ｂに切り替わる。
【０１６２】
変形例の各ステップは、判定部３２（図７参照）により実行される。換言するならば、変形例の各ステップは判定部３２を含む受信部２０（図１参照）により実行される。
【０１６３】
信号光の偏波変動量は、落雷以外の要因（例えば、機械的な振動）によっても急激に変動することがある。このような変動は、殆ど単発的に発生する。変形例では、偏波変動量が第４閾値１１２ｄを超えた後、一定時間ｔ１内に第１閾値１１２ａを超えた場合に、トランスポンダが切替えられる。従って変形例によれば、落雷以外の単発的な要因によるトランスポンダの切替えが抑制される。
【０１６４】
（５−２）変形例２
以上の例では、第１検出部３０ａが検出する偏波変動量は、第１信号光６ａと局発光との干渉により生じる光（或いは、電磁波）の偏波面の回転角度の一定時間内の変化量（すなわち、回転速度）である。しかし、第１検出部３０ａが導出する偏波変動量は、偏波面の回転角度の一定時間内の変化量以外であってもよい。第１検出部３０ａが検出する偏波変動量は例えば、第１信号光６ａのストークスパラメータの一定時間内の変化量であってもよい。
【０１６５】
（６）代替案
落雷による伝送エラーは、偏波保持ファイバ(Polarization Maintaining Fiber)を介して信号光を伝送することでも抑制可能である。しかし、既設のＯＰＧＷの光ファイバは、殆ど単一モード光ファイバである。従って、偏波保持ファイバを有するＯＰＧＷを新たに敷設しない限り、偏波保持ファイバによる伝送エラーの抑制は困難である。
【０１６６】
第１信号光６ａの偏波状態が変動しても、第１信号光６ａのＸ偏波の位相およびＹ偏波の位相に基づいて、偏波状態の変動の影響を除去すること（すなわち、偏波変動の補償）は可能である。しかし、偏波変動量が大きい場合や信号光のビットレートが高い場合（特に、１００Ｇｂｐｓ以上の場合）には、偏波変動の補償は困難である。
【０１６７】
落雷による伝送エラーは、偏波ダイバーシティによっても抑制可能である。しかし、偏波ダイバーシティによる光通信は実用化されていない。
【０１６８】
以上のように、実施の形態１の代替案として考えられる伝送エラーの抑制方法には夫々問題がある。一方、実施の形態１の光伝送装置には、上記のような問題はない。
【０１６９】
実施の形態１の光伝送装置は、第１ルート１０ａからの光の第１偏波変動量４６ａを監視して第１偏波変動量４６ａの絶対値が第１閾値を超えた場合、第１ルート１０ａの光が伝達する情報に代えて第２ルート１０ｂの光が伝達する同一情報を出力する。従って実施の形態１によれば、落雷による伝送エラーが抑制される。
【０１７０】
（実施の形態２）
実施の形態２の光伝送装置は、落雷による伝送エラーの危険性が低くなった場合に、第１信号光により伝達される伝送情報の出力を再開する装置である。実施の形態２の光伝送装置は、実施の形態１の光伝送装置に類似している。従って、実施の形態１と同じ部分等については、説明を省略または簡単にする。
【０１７１】
（１）構成および動作
実施の形態２の光伝送装置は、実施の形態１の光伝送装置２、１０２と実質的に同じ構造（図１および図６参照）を有する。すなわち実施の形態２の光伝送装置は、受信部２０と検出部２２とを有する。
【０１７２】
実施の形態２の検出部２２は、実施の形態１の検出部２２と実質的に同じ動作をするように構成されている。具体的には、実施の形態２の検出部２２は例えば、実施の形態１の検出部２２と同じ構造を有し、同じソフトウエアにより動作するように構成されている（受信部２０等についても、同様）。
【０１７３】
同様に、実施の形態２の受信部２０は、実施の形態１の受信部２０と実質的に同じ動作をするように構成されている。実施の形態２の受信部２０は更に、落雷による伝送エラーの危険性が低くなった場合、第１信号光６ａにより伝達される伝送情報４２の出力を再開するように構成されている。
【０１７４】
具体的には、実施の形態２の受信部２０は、第２信号光により伝達される伝送情報の出力を開始した後に検出された第１偏波変動量４６ａの絶対値が第２閾値を一定の時間下回り続けた場合、第１信号光により伝達される伝送情報の出力を再開する。第２閾値は、第１閾値より小さい閾値である。第２閾値は例えば、１〜２０krad/secである。
【０１７５】
落雷が第１ルート１０ａから遠ざかると、第１偏波変動量４６ａの絶対値は第１閾値より小さい第２閾値を下回り続ける。従って、実施の形態２の光伝送装置によれば、落雷による伝送エラーの危険性が低くなった場合に、第１ルート１０ａからの伝送情報の出力を再開することができる。
【０１７６】
（２）ハードウエア
実施の形態２の光伝送装置のハードウエア構成は、実施の形態１の光伝送装置２、１０２のハードウエア構成と実質的に同じである。従って、実施の形態２の光伝送装置のハードウエア構成の説明は省略する。
【０１７７】
（３）ソフトウエア
（３−１）プログラムおよびデータ
第１及び第２トランスポンダ２４ａ、２４ｂ（図８参照）の不揮発性メモリ６０には、実施の形態１で説明したプログラム（すなわち、待機プログラム６６および切替プログラム６７）が記録されている（実施の形態３〜５についても同様）。
【０１７８】
図２０は、実施の形態２の判定部３２（図８参照）の不揮発性メモリ１６０に記録されるプログラムおよびデータファイル９４を示す図である。不揮発性メモリ１６０には、実施の形態１の第１判定プログラム９０ａの代わりに、第２判定プログラム９０ｂが記録されている。第２判定プログラム９０ｂ以外のプログラムとデータは、実施の形態１の不揮発性メモリ１６０に記録されたものと実質的に同じである。但し、閾値テーブル１０８（図１４参照）の第２閾値１１２ｂおよび第４閾値１１２ｄは省略されない。
【０１７９】
（３−２）処理
第１ＣＰＵ５６ａ（第１及び第２トランスポンダ２４ａ、２４ｂ夫々のＣＰＵ）は、不揮発性メモリ６０から待機プログラム６６と切替えプログラム６７とを読み出して並行して実行する（実施の形態３〜５についても同様）。
【０１８０】
一方、第２ＣＰＵ５６ｂは、不揮発性メモリ１６０から第２判定プログラム９０ｂと第１記録プログラム９２ａとを読み出して並行して実行する。第１記録プログラム９２ａについては、実施の形態１で説明した。
【０１８１】
（３−２−１）第２判定処理（第２判定プログラム９０ｂによる処理）
図２１〜２２は、第２判定プログラム９０ｂのフローチャートの一例である。図２１〜２２に示すステップのうち破線で示すステップは、実施の形態１の変形例（図１９参照）に含まれるステップである。
【０１８２】
−ステップＳ３０２〜Ｓ３０８、Ｓ４０２〜Ｓ４１２−
第２ＣＰＵ５６ｂは先ず、ステップＳ３０２〜Ｓ３０８、Ｓ４０２〜Ｓ４１２を実行する。ステップＳ３０８の後、第２ＣＰＵ５６ｂは、ステップＳ５０２に進む。ステップＳ４０２〜Ｓ４１２は省略されてもよい（図１８参照）。
【０１８３】
ステップＳ３０２〜Ｓ３０８、Ｓ４０２〜Ｓ４１２は、実施の形態１で説明したステップである。
【０１８４】
−ステップＳ５０２−
ステップＳ３０８の後、第２ＣＰＵ５６ｂは、タイマーの待ち時間Ｔ３をｔ３（例えば、１〜３０分）に設定する。
【０１８５】
−ステップＳ５０４−
ステップＳ５０２の後、第２ＣＰＵ５６ｂは、タイマーのカウントダウンを開始する。
【０１８６】
−ステップＳ５０６−
ステップＳ５０４の後、第２ＣＰＵ５６ｂは、待ち時間Ｔ３がゼロであるか否か判定する。待ち時間Ｔ３がゼロでない場合、第２ＣＰＵ５６ｂはステップＳ５０６を再び実行する。待ち時間Ｔ３がゼロの場合、第２ＣＰＵ５６ｂは、ステップＳ５０８に進む。
【０１８７】
−ステップＳ５０８−
第２ＣＰＵ５６ｂは、待ち時間Ｔ３のカウントダウンを中止する。
【０１８８】
−ステップＳ５１０−
ステップＳ５０８の後、第２ＣＰＵ５６ｂは、タイマーの待ち時間Ｔ２をｔ２（例えば、１〜１５分）に設定する。
【０１８９】
−ステップＳ５１２−
ステップＳ５１０の後、第２ＣＰＵ５６ｂは、待ち時間Ｔ２のカウントダウンを開始する。
【０１９０】
−ステップＳ５１４−
ステップＳ５１２の後、第２ＣＰＵ５６ｂは、第１履歴テーブル９６ａに記録された最新の第１偏波変動量４６ａの絶対値が閾値テーブル１０８に記録された第２閾値（例えば、１〜２０ krad/sec）より小さいか否か判定する。第２閾値は好ましくは、第１閾値および第４閾値より小さい値である。ステップＳ５１４の判定は、第１履歴テーブル９６ａに記録された第１偏波変動量４６ａと検出日時とに基づいて行われる。
【０１９１】
最新の第１偏波変動量４６ａの絶対値が第２閾値以上の場合、第２ＣＰＵ５６ｂはステップＳ５０２に戻る。最新の第１偏波変動量４６ａの絶対値が第２閾値未満の場合、第２ＣＰＵ５６ｂはステップＳ５１６に進む。
【０１９２】
−ステップＳ５１６−
第２ＣＰＵ５６ｂは、待ち時間Ｔ２がゼロであるか否か判定する。待ち時間Ｔ２がゼロでない場合、第２ＣＰＵ５６ｂはステップＳ５１４に戻る。待ち時間Ｔ２がゼロの場合、第２ＣＰＵ５６ｂは、ステップＳ５１８に進む。
【０１９３】
−ステップＳ５１８−
第２ＣＰＵ５６ｂは、待ち時間Ｔ２のカウントダウンを中止する。
【０１９４】
−ステップＳ５２０−
ステップＳ５１８の後、第２ＣＰＵ５６ｂは、伝送情報４２を出力するトランスポンダを第２トランスポンダ２４ｂから第１トランスポンダ２４ａに切り戻す。
【０１９５】
具体的には例えば、第２ＣＰＵ５６ｂは、第１トランスポンダ２４ａに第２コマンド４８ｂを送出すると共に、第２トランスポンダ２４ｂに第１コマンド４８ａを送出する。第２コマンド４８ｂは、伝送情報４２の出力を開始させるためのコマンドである。第１コマンド４８ａは、伝送情報４２の出力を禁止するためのコマンドである。
【０１９６】
−ステップＳ４０２−
ステップＳ５２０の後、第２ＣＰＵ５６ｂはステップＳ４０２に戻る。
【０１９７】
以上のように、第２ＣＰＵ５６ｂはトランスポンダを切替えた後、第１偏波変動量４６ａの絶対値が第２閾値を一定の時間ｔ２下回り続けた場合（Ｓ５１０〜Ｓ５１８）に、トランスポンダを切戻す。この様に、トランスポンダの切戻し（Ｓ５２０）は、一定の時間ｔ２の間、第１偏波変動量４６ａが小さく保たれて、落雷による伝送エラーの危険性が低くなったと考えられる場合に実行される。
【０１９８】
更に、第２ＣＰＵ５６ｂは、トランスポンダの切替え（ステップＳ３０８）から一定時間ｔ３が経過した後（Ｓ５０２〜Ｓ５０８）に、トランスポンダを切戻すか否かの判定を開始する（Ｓ５１０〜Ｓ５１８）。従って、拙速なトランスポンダの切戻しが抑制される。
【０１９９】
第２判定プログラム９０ｂは、判定部３２（図７参照）により実行される。換言するならば、第２判定プログラム９０ｂは、判定部３２を含む受信部２０により実行される。
【０２００】
（４）動作例
図２３は、実施の形態２の光伝送装置の動作の一例を示す図である。横軸は時間である。縦軸は、検出部２２が検出した第１偏波変動量４６ａの絶対値である。横軸および縦軸は、線形軸である。
【０２０１】
第２ＣＰＵ５６ｂは、絶対値が第４閾値１１２ｄを超える第１偏波変動量４６ａを検出すると第１期間１１０ａが開始する（図２１のステップＳ４０２〜Ｓ４０６参照）。第１期間１１０ａは、最大ｔ１時間持続する。第２ＣＰＵ５６ｂは、第１期間１１０ａの間、第１偏波変動量４６ａの絶対値が第１閾値１１２ａを超えるか否か監視する（ステップＳ３０６、Ｓ４０８〜Ｓ４１２参照）。第１期間１１０ａにより、落雷以外の単発的な要因によるトランスポンダの切替えが抑制される。
【０２０２】
図２３に示す例では、第１期間１１０ａ内に絶対値が第１閾値１１２ａを超える第１偏波変動量４６ａは検出されない。従って、トランスポンダの切替え（ステップＳ３０８参照）は実行されない。
【０２０３】
図２３に示す例では第１期間１１０ａの後、絶対値が第４閾値１１２ｄを超える第１偏波変動量４６ａが再度検出されて、第２期間１１０ｂが開始する（ステップＳ４０２〜Ｓ４０６参照）。
【０２０４】
図２３に示す例では、第２期間１１０ｂの途中で、絶対値が第１閾値１１２ａ超える第１偏波変動量４６ａが検出される。その結果、伝送情報４２を出力するトランスポンダが、第１トランスポンダ２４ａから第２トランスポンダ２４ｂに切り替えられる（ステップＳ３０８参照）。
【０２０５】
トランスポンダが切り替えられると、第３期間１１０ｃが開始する（図２２のステップＳ５０２〜Ｓ５０８参照）。第３期間１１０ｃは、ｔ３時間継続する。第３期間１１０ｃにより、拙速なトランスポンダの切戻しが抑制される。
【０２０６】
第３期間１１０ｃが終了すると、第４期間１１０ｄが開始する（ステップＳ５１０〜Ｓ５１８参照）。第４期間１１０ｄは最大、ｔ２時間継続する。
【０２０７】
第２ＣＰＵ５６ｂは、第４期間１１０ｄの間、第１偏波変動量４６ａの絶対値が第２閾値１１２ｂを下回り続けるか否か監視する（ステップＳ５１４〜Ｓ５１６）。図２３に示す例では、第４期間１１０ｄ内の途中で、絶対値が第２閾値１１２ｂ以上の第１偏波変動量４６ａが検出される。従って、トランスポンダは切り戻されない。
【０２０８】
図２３に示す例では、第４期間１１０ｄの途中で、絶対値が第４閾値１１２ｄを超える第１偏波変動量４６ａが検出される。その結果、第５期間１１０ｅが開始する（ステップＳ５０２〜Ｓ５０８参照）。第５期間１１０ｅは、ｔ３時間継続する。
【０２０９】
第５期間１１０ｅが終了すると、第６期間１１０ｆが開始する（ステップＳ５１０〜Ｓ５１８参照）。第２ＣＰＵ５６ｂは、第６期間１１０ｆの間、第１偏波変動量４６ａの絶対値が第２閾値１１２ｂを下回り続けるか否か再度監視する（ステップＳ５１４〜Ｓ５１６）。
【０２１０】
図２３に示す例では、第６期間１１０ｆの間、第１偏波変動量４６ａの絶対値が第２閾値１１２ｂを下回り続ける。その結果、伝送情報４２を出力するトランスポンダが、第２トランスポンダ２４ｂから第１トランスポンダ２４ａに切戻される（ステップＳ５２０参照）。落雷による伝送エラーの危険性が低くなったことが第６期間１１０ｆで確認されたので、トランスポンダが切戻される。
【０２１１】
（５）変形例
図２４は、実施の形態２の第２判定プログラム９０ｂの変形例である。
【０２１２】
図２４に示すステップのうち破線で示すステップは、図２１〜２２のフローチャートに含まれるステップである。図２１〜２２に含まれるステップのうちのステップＳ４０２〜Ｓ４１２、Ｓ３０６は、一つのステップに纏められている。同様に、ステップＳ５０２〜Ｓ５１８は、一つのステップに纏められている（図２９等についても同様）。
【０２１３】
−ステップＳ３０２〜３０８、Ｓ４０２〜Ｓ４１２−
第２ＣＰＵ５６ｂは先ず、ステップＳ３０２〜３０８、Ｓ４０２〜Ｓ４１２を実行する。
【０２１４】
−ステップＳ６０２−
ステップＳ３０８の後、第２ＣＰＵ５６ｂは、例えば表示装置（図示せず）を用いて、オペレータにトランスポンダの切戻し方法の選択を要求する。第２ＣＰＵ５６ｂは更に、オペレータが入力装置（図示せず）を用いて選択した「トランスポンダの切戻し方法」を取得する。オペレータは例えば、トランスポンダの切戻しを急ぐ場合には「自動」を選択し、トランスポンダの切戻しを急がない場合には「手動」を選択する。
【０２１５】
ステップＳ６０２は、トランスポンダを切替えるステップＳ３０８の前に実行されてもよい。例えば、ステップＳ６０２はステップＳ４０２の前に実行されてもよい。
【０２１６】
−ステップＳ６０４−
第２ＣＰＵ５６ｂは、取得した切戻し方法が「自動」であるか否か判定する。取得した切戻し方法が「自動」の場合、ステップＳ５０２に進む。取得した切戻し方法が「自動」でない場合、第２ＣＰＵ５６ｂはステップＳ６０６に進む。
【０２１７】
−ステップＳ６０６−
第２ＣＰＵ５６ｂは、例えば表示装置（図示せず）を用いて、トランスポンダの手動による切戻しの実施状況をオペレータに問い合わせる。第２ＣＰＵ５６ｂは更に、オペレータが入力装置（図示せず）を用いて回答した「手動切戻しの実施状況」を取得する。
【０２１８】
−ステップＳ６０８−
第２ＣＰＵ５６ｂは、取得した「手動切戻しの実施状況」が手動による切戻しの完了を示しているか否か判定する。取得した「手動切戻しの実施状況」が手動による切戻しの完了を示していない場合、第２ＣＰＵ５６ｂはステップＳ６０６に戻る。
【０２１９】
取得した「手動切戻しの実施状況」が手動による切戻しの完了を示している場合、第２ＣＰＵ５６ｂはステップＳ４０２に戻る。
【０２２０】
変形例によれば、トランスポンダの切り戻し方法をオペラータが選択できる。
【０２２１】
上述したように、実施の形態２によれば、第１偏波変動量４６ａの絶対値が一定の時間ｔ２の間、第１閾値１１２ａより小さい第２閾値１１２ｂを下回り続けた場合にトランスポンダが切り戻される。従って実施の形態２によれば、落雷が十分に遠ざかり伝送エラーの危険性が低くなった場合に、トランスポンダを切り戻すことができる。
【０２２２】
（実施の形態３）
実施の形態３の光伝送装置は、第２ルート１０ｂからの光の第２偏波変動量を検出することで、第２ルート１０ｂ近傍の落雷による伝送エラーを抑制する光伝送装置である。実施の形態３の光伝送装置は、実施の形態１又は２の光伝送装置に類似している。従って、実施の形態１又は２と同じ部分等については、説明を省略または簡単にする。
【０２２３】
（１）構成および動作
実施の形態３の光伝送装置は、図１及ぶ６を参照して説明した実施の形態１及び２の光伝送装置２、１０２と実質的に同じ構造を有する。すなわち、実施の形態３の光伝送装置は、受信部２０と検出部２２とを有する。
【０２２４】
実施の形態３の検出部２２は、実施の形態２の検出部２２と実質的に同じ動作をする。実施の形態３の検出部２２は更に、第２ルート１０ｂからの光の第２偏波変動量４６ｂ（図７参照）を検出する。第２偏波変動量４６ｂは、第２ルート１０ｂからの光（例えば、第２信号光６ｂ）の偏波変動量である。偏波変動量は、実施の形態１で説明した光の偏波状態を示すパラメータの一定時間内の変化量（例えば、信号光と局発光との干渉光の偏波面の回転速度）である。第２偏波変動量４６ｂは、第２トランスポンダ２４ｂの第２検出部３０ｂ（例えば、ＤＳＰチップ５０の偏波検出部８８）により検出される。
【０２２５】
第２検出部３０ｂは第２偏波変動量４６ｂを、第２受信部２６ｂ（図７参照）が伝送情報４２を第２信号光６ｂから再生する過程で生じるデータ１４４に基づいて導出する。
【０２２６】
実施の形態３の受信部２０は、実施の形態２の受信部２０と実質的に同じ動作をする。但し実施の形態３の受信部２０は、第１偏波変動量４６ａの絶対値が第１閾値１１２ａを超える前に、検出された第２偏波変動量４６ｂの絶対値が第３閾値１１２ｃを超えた場合、トランスポンダの切替えを保留する。第３閾値１１２ｃは例えば、第１閾値１１２ａである。
【０２２７】
従って、第２ルート１０ｂ近傍で落雷が発生している間は、トランスポンダの切替えが抑制される。このため実施の形態３の光伝送装置によれば、第２ルート１０ｂ近傍の落雷による伝送エラーが抑制される。
【０２２８】
（２）ハードウエア
実施の形態３の光伝送装置ハードウエア構成は、実施の形態１の光伝送装置２、１０２のハードウエア構成（例えば、図８参照）と実質的に同じである。
【０２２９】
（３）ソフトウエア
（３−１）プログラム
図２５は、判定部３２（図８参照）の不揮発性メモリ１６０に記録されるプログラムおよびデータファイル３９４を示す図である。
【０２３０】
図２５に示すように、実施の形態３の光伝送装置の不揮発性メモリ１６０には、第３判定プログラム９０ｃ、第１記録プログラム９２ａ、第２記録プログラム９２ｂ、および監視プログラム９３が記録される。
【０２３１】
（３−２）データ
図２５に示すように、不揮発性メモリ１６０には、第１履歴テーブル９６ａ、第２履歴テーブル９６ｂ、閾値テーブル１０８、および第１フラグ１０９ａが記録される。
【０２３２】
（３−２−１）第１履歴テーブル
実施の形態３の第１履歴テーブル９６ａは例えば、図１３を参照して説明した第１履歴テーブル９６ａと同じ構造を有する。
【０２３３】
（３−２−２）第２履歴テーブル
第２履歴テーブル９６ｂは例えば、図１３を参照して説明した第１履歴テーブル９６ａと同じ構造を有する。
【０２３４】
（３−２−３）閾値テーブル
実施の形態３の閾値テーブル１０８は、図１４を参照して説明した実施の形態１の閾値テーブル１０８と同じ構造を有する。実施の形態３の閾値テーブル１０８には例えば、実施の形態１で説明した第１〜４閾値が記録されている。
【０２３５】
（３−２−４）第１フラグ
図２６は、第１フラグ１０９ａの一例を示す図である。第１フラグ１０９ａは例えば、２行１列のテーブルである。第１フラグ１０９ａの１行目のデータは、２行目に記録されるデータの内容を示している。第１行目は、省略してもよい。第１フラグ１０９ａの２行目には例えば、数字「０」または数字「１」が記録される。
【０２３６】
（３−３）処理
第２ＣＰＵ５６ｂは、不揮発性メモリ１６０から第３判定プログラム９０ｃ、第１記録プログラム９２ａ、第２記録プログラム９２ｂ、および監視プログラム９３を読み出して並行して実行する。第１記録プログラム９２ａについては、実施の形態１で説明した。
【０２３７】
（３−３−１）第２記録処理（第２記録プログラム９２ｂによる処理）
第２記録プログラム９２ｂは、第１信号光６ａの第１偏波変動量４６ａを記録するための第１記録プログラム９２ａ（図１７参照）に類似している。第２記録プログラム９２ｂは、第２信号光６ｂの第２偏波変動量４６ｂを記録するためのプログラムである。
【０２３８】
第２記録プログラム９２ｂは、判定部３２により実行される。換言するならば、第２記録プログラム９２ｂは、判定部３２を含む受信部２０により実行される。
【０２３９】
第２ＣＰＵ５６ｂは、第１記録プログラム９２ａのステップＳ２０２〜Ｓ２０６と同一又は類似したステップを実行する。第２ＣＰＵ５６ｂは先ず、第１記録プログラム９２ａのステップＳ２０２を実行する。第２ＣＰＵ５６ｂは更に、第１記録プログラム９２ａのステップＳ２０４の代わりに、第２信号光６ｂの第２偏波変動量４６ｂ（図７参照）を第２検出部３０ｂから受信したか否かの判定を実行する。
【０２４０】
次に第２ＣＰＵ５６ｂは、第１記録プログラム９２ａのステップＳ２０６の代わりに、第２偏波変動量４６ｂとその検出日時を第２履歴テーブル９６ｂに記録する。
【０２４１】
第２記録プログラム９２ｂによれば、第２信号光６ｂの第２偏波変動量４６ｂとその検出日時とが第２履歴テーブル９６ｂに記録される。
【０２４２】
（３−３−２）監視処理（監視プログラム９３による処理）
図２７〜２８は、監視プログラム９３のフローチャートの一例である。監視プログラム９３は、第２ルート１０ｂからの第２信号光６ｂの第２偏波変動量４６ｂの絶対値が第３閾値１１２ｃを超えたか否かを監視するためのプログラムである。監視プログラム９３は、第２ＣＰＵ５６ｂ（図８参照）により実行される。
【０２４３】
監視プログラム９３は、判定部３２（図６参照）により実行される。換言するならば、監視プログラム９３は、判定部３２を含む受信部２０（図１参照）により実行される。
【０２４４】
監視プログラム９３は、実施の形態２の第２判定プログラム９０ｂ（図２１〜２２参照）に類似している。図２７〜２８の破線で示されたステップは、実施の形態２で説明したステップである。
【０２４５】
監視プログラム９３は、第２判定プログラム９０ｂのステップＳ３０２は有さない。
【０２４６】
監視プログラム９３は、第２判定プログラム９０ｂのステップＳ４０２（図２１参照）の代わりに、ステップＳ７０２（図２７参照）を有する。監視プログラム９３は更に、第２判定プログラム９０ｂのステップＳ３０６（図３１参照）の代わりに、ステップＳ７０４を有する。監視プログラム９３は更に、第２判定プログラム９０ｂのステップＳ３０８（図２１参照）の代わりに、ステップＳ７０６を有する。
【０２４７】
監視プログラム９３は更に、判定プログラムのステップＳ５１４（図２２参照）の代わりに、ステップＳ７０８を有する。監視プログラム９３は更に、第２判定プログラム９０ｂのステップＳ５２０（図２２参照）の代わりに、ステップＳ７１０を有する。
【０２４８】
―ステップＳ７０２―
第２ＣＰＵ５６ｂは、第２信号光６ｂの第２偏波変動量４６ｂの絶対値と第４閾値とを比較する。ステップＳ７０２は、第２履歴テーブル９６ｂと閾値テーブル１０８とに基づいて実行される（Ｓ７０４およびＳ７０８についても同様）。
【０２４９】
―ステップＳ７０４―
第２ＣＰＵ５６ｂは、第２信号光６ｂの第２偏波変動量４６ｂの絶対値と第３閾値とを比較する。
【０２５０】
―ステップＳ７０６―
第２ＣＰＵ５６ｂは、第１フラグを立てる。具体的には第２ＣＰＵ５６ｂは、第１フラグ１０９ａ（図２６参照）の２行目に数字「１」を記録する。
【０２５１】
―ステップＳ７０８―
第２ＣＰＵ５６ｂは、第２信号光６ｂの第２偏波変動量４６ｂの絶対値と第２閾値とを比較する。
【０２５２】
―ステップＳ７１０―
第２ＣＰＵ５６ｂは、第１フラグを解除する。具体的には、第２ＣＰＵ５６ｂは例えば、第１フラグ１０９ａの２行目に数字「０」を記録する。
【０２５３】
監視プログラム９３の実行により、第２信号光６ｂの第２偏波変動量４６ｂの絶対値が第３閾値１１２ｃを超えた場合、第１フラグ１０９ａが立てられる。更に監視プログラム９３の実行により、第２信号光６ｂの第２偏波変動量４６ｂの絶対値が一定の時間ｔ２の間、第２閾値１１２ｂを下回り続けた場合、第１フラグ１０９ａが解除される。
【０２５４】
なお、ステップＳ４０４〜Ｓ４１２は省略されてもよい。
【０２５５】
（３−３−３）第３判定処理（第３判定プログラム９０ｃによる処理）
図２９は、第３判定プログラム９０ｃのフローチャートの一例である。第３判定プログラム９０ｃは、第２偏波変動量４６ｂの絶対値が第３閾値１１２ｃを超えた場合、第２信号光６ｂにより伝達される伝送情報４２の出力を保留するためのプログラムである。第３判定プログラム９０ｃは、判定部３２により実行される。換言するならば、第３判定プログラム９０ｃは、判定部３２を含む受信部２０（図１参照）により実行される。
【０２５６】
第３判定プログラム９０ｃは、実施の形態２の第２判定プログラム９０ｂ（図２１〜２２参照）に類似している。図２９の破線で示されたステップは、実施の形態２で説明したステップである。図２９では、図２１〜２２に含まれるステップのうちステップＳ５０２〜Ｓ５１８は、一つのステップに纏められている。
【０２５７】
第３判定プログラム９０ｃは、ステップＳ４１２とステップＳ３０８の間に、ステップＳ８０２を有する。第２ＣＰＵ５６ｂは、第３判定プログラム９０ｃの各ステップを実行する。
【０２５８】
―ステップＳ８０２―
第２ＣＰＵ５６ｂは、ステップＳ４０２〜Ｓ４１２、Ｓ３０６で第１信号光６ａの第１偏波変動量４６ａの絶対値が第１閾値１１２ａを超えたと判定した場合、第１フラグ１０９ａが立っているか否か判定する。第１フラグ１０９ａが立っている場合には、第２ＣＰＵ５６ｂは、ステップＳ４０２に戻る。
【０２５９】
第１フラグ１０９ａが立っていない場合、第２ＣＰＵ５６ｂは、伝送情報を出力するトランスポンダを第１トランスポンダ２４ａから第２トランスポンダ２４ｂに切替えるステップＳ３０８に進む。
【０２６０】
具体的には、第２ＣＰＵ５６ｂは、第１フラグ１０９ａの第２行目が数字「１」であるか否か判定する。第１フラグ１０９ａの第２行目が数字「１」である場合、第２ＣＰＵ５６ｂはステップＳ４０２に戻る。第１フラグ１０９ａの第２行目が数字「１」でない場合、第２ＣＰＵ５６ｂはステップＳ３０８に進む。
【０２６１】
すなわち、第１偏波変動量４６ａの絶対値が第１閾値１１２ａを超える前に、第２偏波変動量４６ｂの絶対値が第３閾値１１２ｃを超えたと判定された場合、トランスポンダの切替えは保留される。
【０２６２】
実施の形態３によれば、第２ルート１０ｂの近傍で大きな落雷が発生した場合、第２ルート１０ｂからの伝送情報４２の出力は保留されるので、第２ルート１０ｂの近傍の落雷による伝送エラーは生じ難い。
【０２６３】
以上の例では、第３閾値１１２ｃは第１閾値１１２ａと同じ値である。しかし第３閾値１１２ｃは、第１閾値１１２ａとは異なる値であっても良い。例えば第３閾値１１２ｃは、第４閾値１１２ｄより大きく第１閾値１１２ａより小さい値であってもよい。
【０２６４】
実施の形態３の受信部２０は、実施の形態２の第２判定処理の各ステップとステップＳ８０２とを実行するように構成されている。しかし実施の形態３の光伝送装置は、実施の形態１の第１判定処理（または変形例）の各ステップとステップＳ８０２とを実行するように構成されてもよい。
【０２６５】
（実施の形態４）
実施の形態４の光伝送装置は、過大に設定された第１閾値を減少させることで、伝送エラーの発生を抑制する光伝送装置である。実施の形態４の光伝送装置は、実施の形態１〜３の光伝送装置に類似している。従って、実施の形態１〜３と同じ部分等については、説明を省略または簡単にする。
【０２６６】
（１）構成および動作
実施の形態４の光伝送装置は、実施の形態２の光伝送装置２、１０２と実質的に同じ構造（図１およ６参照）を有する。すなわち実施の形態４の光伝送装置は、受信部２０と検出部２２とを有する。
【０２６７】
実施の形態４の検出部２２は、実施の形態２の検出部２２と実質的に同じ動作をする。
【０２６８】
同様に、実施の形態４の受信部２０は、実施の形態２の受信部２０と実質的に同じ動作をする。実施の形態４の受信部２０は更に、第２信号光６ｂにより伝達される伝送情報４２の出力を開始する前に第１信号光６ａにより伝達される伝送情報４２の出力が中断した場合、第１閾値１１２ａ（図２３参照）を減少させる。伝送情報４２の出力の中断は、伝送エラーの発生を意味する。
【０２６９】
第１閾値１１２ａが減少すると、受信部２０が第２信号光６ｂによる伝送情報４２の出力を開始するタイミングが早くなる。その結果、伝送エラーが起き難くなる。
【０２７０】
（２）ハードウエア
実施の形態４の光伝送装置は、実施の形態２の光伝送装置のハードウエア構成（例えば、図８参照）と実質的に同じハードウエア構成を有する。
【０２７１】
（３）ソフトウエア
（３−１）プログラム
図３０は、判定部３２（図８参照）の不揮発性メモリ１６０（図８参照）に記録されるプログラムおよびデータファイル４９４を示す図である。
【０２７２】
図３０に示すように、実施の形態４の光伝送装置の不揮発性メモリ１６０には、第４判定プログラム９０ｄ、第３記録プログラム９２ｃ、および第１調整プログラム４０２ａが記録される。
【０２７３】
（３−２）データ
図３０に示すように、判定部３２の不揮発性メモリ１６０には、第１履歴テーブル９６ａ、閾値テーブル１０８、および第２フラグ１０９ｂが記録される。
【０２７４】
（３−２−１）第１履歴テーブル
実施の形態４の第１履歴テーブル９６ａは例えば、図１３を参照して説明した第１履歴テーブル９６ａと同じ構造を有する。
【０２７５】
図３１は、実施の形態４のデータが記録された第１履歴テーブル９６ａの一例を示す図である。図３１の「Y0/M0/D0 H0:MIN0:S0」等は説明のために、実際の日時の代わり記載された記号である。「Ａ」、「Ｂ」〜「Ｊ」は説明のために、実際の偏波変動量の代わりに記載された記号である。
【０２７６】
図３１の第１列目のセル１１４（１行目以外のセル）には、第２ＣＰＵ５６ｂが第１偏波変動量４６ａが第１閾値１１２ａを超えたか否かの判定（例えば、後述する図３３のステップＳ４０４〜Ｓ４１２、Ｓ３０６）を開始した日時が記録される。
【０２７７】
第１偏波変動量４６ａが第１閾値１１２ａを超えずに判定が終了した場合には、判定の開始日時（以下、判定開始日時と呼ぶ）が記載されたセル１１４の右側のセル１１６に、判定が終了した日時（以下、判定終了日時と呼ぶ）が記録される。
【０２７８】
第１偏波変動量４６ａが第１閾値１１２ａを超えた場合には、判定開始日時が記載されたセル１１４の右側のセル１１６に、トランスポンダの切戻し（ステップＳ５２０）が行われた日時（以下、判定終了日時と呼ぶ）が記録される。
【０２７９】
判定開始日時４１４および判定終了日時４１６が記録された行１１８には、判定開始日時４１４から判定終了日時４１６までに、第１検出部３０ａにより検出された第１偏波変動量４６ａが記録される。第１履歴テーブル９６ａの各行は、落雷の開始から落雷の終了までに記録される第１偏波変動量４６ａおよび検出日時の合計（すなわち、検出日時の２倍）より十分多くのセルを含む。
【０２８０】
判定開始日時４１４および判定終了日時４１６が記録されない行には、最初の判定が開始するまでの期間および判定が終了し次の判定が開始するまでの期間（例えば、Ｓ４０２が繰り返される期間）に検出された第１偏波変動量４６ａが記録される。
【０２８１】
トランスポンダの切替えの前に第１ルート１０ａの近傍で大きな雷落があると、第１トランスポンダ２４ａが第１信号光６ａを伝送情報に変換できないエラー（以下、変換エラーと呼ぶ）が発生することがある。すると、第１信号光６ａにより伝達される伝送情報４２の出力が中断する。この場合ＤＳＰチップ５０は、判定部３２に第１偏波変動量４６ａの代わりに、変換エラーの発生を示すデータ（以下、エラーデータと呼ぶ）を送出する。
【０２８２】
判定部３２はエラーデータを受信すると、第１偏波変動量４６ａの代わりに、第１履歴テーブル９６ａにエラーデータ１２０を記録する。エラーデータ１２０は例えば、文字データ「ERROR」である。
【０２８３】
第１履歴テーブル９６ａには更に、第１偏波変動量４６ａの検出日時の代わりに、エラーデータの受信日時が記録される。
【０２８４】
（３−２−２）閾値テーブル
実施の形態４の閾値テーブル１０８は、図１４を参照して説明した実施の形態１の閾値テーブル１０８と略同じテーブルである。
【０２８５】
（３−２−３）第２フラグ
図３２は、第１調整プログラム４０２ａの実行に使用する第２フラグ１０９ｂの一例を示す図である。第２フラグ１０９ｂは例えば、２行１列のテーブルである。第２フラグ１０９ｂの１行目は、第２フラグ１０９ｂの２行目に記録されるデータの内容を示している。第２フラグ１０９ｂの２行目のセルは例えば、数字「０」または数字「１」である。
【０２８６】
第４判定処理（第４判定プログラム９０ｄによる処理）への割り込みが許可されると、第２フラグ１０９ｂの２行目には、例えば「０」が記録される。一方、第４判定処理への割り込みが禁止されると、第２フラグ１０９ｂの２行目には、例えば「１」が記録される。
【０２８７】
（３−３）処理
第２ＣＰＵ５６ｂは、不揮発性メモリ１６０から第４判定プログラム９０ｄ、第３記録プログラム９２ｃ、および第１調整プログラム４０２ａを読み出して並行して実行する。
【０２８８】
（３−３−１）第４判定処理（第４判定プログラム９０ｄによる処理）
図３３は、第４判定プログラム９０ｄのフローチャートの一例である。第４判定プログラム９０ｄは、判定部３２（図６参照）により実行される。換言するならば、第４判定プログラム９０ｄは、判定部３２を含む受信部２０（図１参照）により実行される。
【０２８９】
第４判定プログラム９０ｄは、実施の形態２の第２判定プログラム９０ｂ（図２１〜２２参照）に類似している。図３３の破線で示されたステップは、実施の形態２で説明したステップである。
【０２９０】
第４判定プログラム９０ｄは、第２ＣＰＵ５６ｂにより実行される。
【０２９１】
−ステップＳ９０２−
ステップＳ４０２の後（すなわち、第１偏波変動量４６ａが図２３の第４閾値１１２ｄを超えた後）、第２ＣＰＵ５６ｂは第１履歴テーブル９６ａ(図３１参照)を改行して、次の行の先頭に、最後に第１偏波変動量４６ａを受信した日時を記録する。ステップＳ９０２は、後述する第３記録処理のための工程である。
【０２９２】
ステップＳ９０２は、ステップＳ４０２〜ステップＳ４０６の間の何れのタイミングで実行されてもよい（ステップＳ９０４についても同様）。
【０２９３】
−ステップＳ９０４−
第２ＣＰＵ５６ｂは、後述する第１調整処理による第１閾値１１２ａの変更を禁止する。具体的には、第２ＣＰＵ５６ｂは例えば、第２フラグ１０９ｂの第２行目のセルに数字「１」を記録する。
【０２９４】
−ステップＳ９０６−
第２ＣＰＵ５６ｂは、ステップＳ４０８で待ち時間Ｔ１が０になったと判定した場合、第１閾値１１２ａの変更（すなわち、第１閾値１１２ａの変更）を許可する。
【０２９５】
例えば第２ＣＰＵ５６ｂは、第２フラグ１０９ｂの第２行目のセルに数字「０」を記録する。
【０２９６】
−ステップＳ９０８−
ステップＳ５２０の後、第２ＣＰＵ５６ｂは、第１調整処理による第１閾値１１２ａの変更を許可する。具体的には、第２ＣＰＵ５６ｂは例えば、第２フラグ１０９ｂの第２目のセルに数字「０」を記録する。
【０２９７】
−ステップＳ９１０−
第２ＣＰＵ５６ｂは、ステップＳ４１０およびステップＳ９０８（または、ステップＳ５２０）の後に、第１履歴テーブル９６ａの記録中の行の２列目のセルに、最後に第１偏波変動量４６ａを受信した日時を記録する。その後、第２ＣＰＵ５６ｂは第１履歴テーブル９６ａを改行する。ステップＳ９０２は、後述する第３記録処理のための工程である。
【０２９８】
ステップＳ３０６は、第１閾値１１２ａに基づく処理である。従って、ステップＳ３０６が繰り返されている間に、第１閾値１１２ａが変更されることは好ましくない。第４判定処理では、ステップＳ３０６の繰返しが始まる前に、ステップＳ９０２により第１閾値１１２ａの変更が禁止される。従って第４判定処理によれば、ステップＳ３０６が繰り返されている間に、第１閾値１１２ａが変更されることは無い。
【０２９９】
ところでＤＳＰチップ５０は、変換エラーが発生した場合、第１偏波変動量４６ａの代わりにエラーデータ１２０を出力する。従って第１履歴テーブ９６ａには、変換エラーが発生した時点の第１偏波変動量４６ａは記録されない。第２ＣＰＵ５６ｂは、ステップＳ４０２では、第１履歴テーブル９６ａに記録された第１偏波変動量４６ａおよび第１履歴テーブル９６ａに記録されたエラーデータのうちの最新のデータを取得する。
【０３００】
第２ＣＰＵ５６ｂは、取得したデータが第１偏波変動量４６ａの場合には、取得した第１偏波変動量４６ａと第４閾値１１２ｄとを比較する。一方、取得したデータがエラーデータの場合、第２ＣＰＵ５６ｂはステップＳ９０２に進む。
【０３０１】
第４閾値１１２ｄは、エラーデータが発生する時の第１偏波変動量４６ａより小さい。従って第２ＣＰＵ５６ｂは、エラーデータを取得するとステップＳ９０２に進む。ステップＳ３０６およびステップＳ５０２〜５１８の判定についても同様である。
【０３０２】
（３−３−２）第３記録処理（第３記録プログラム９２ｃによる処理）
第３記録プログラム９２ｃのフローチャートは、実施の形態１の第１記録プログラム９２ａのフローチャート（図１７参照）と略同じである。第３記録プログラム９２ｃは、第２ＣＰＵ５６ｂ（図８参照）により実行される。
【０３０３】
第３記録プログラム９２ｃは、判定部３２（図６参照）により実行される。換言するならば、第３記録プログラム９２ｃは、判定部３２を含む受信部２０（図１参照）により実行される。
【０３０４】
第３記録プログラム９２ｃによる処理（以下、第３記録処理と呼ぶ）は、ステップＳ２０６におけるデータ（検出日時および第１偏波変動量４６ａ）の記録方法以外は、実施の形態１の第１記録処理と実質的に同じである。第１記録処理では、データは第１履歴テーブル９６ａの各行のセルに左から右に向かって順次記録され、最後のセルにデータが記録された後に第１履歴テーブル９６ａが改行される。
【０３０５】
一方、実施の形態４の第３記録処理では例えば、第４判定処理のステップＳ９０２により第１履歴テーブル９６ａ（図３１参照）が改行されると、改行された行に新たなデータが順次記録される。第３記録処理では更に、第４判定処理のステップＳ９１０で第１履歴テーブル９６ａが改行されると、改行された行に新たなデータが順次記録される。
【０３０６】
第２ＣＰＵ５６ｂは、第１偏波変動量４６ａの代わりにエラーデータを受信することがある。この場合、第２ＣＰＵ５６ｂは、受信したエラーデータとエラーデータの受信日時を第１履歴テーブル９６ａに記録する。
【０３０７】
（３−３−３）第１調整処理（第１調整プログラム４０２ａによる処理）
図３４は、第１調整プログラム４０２ａのフローチャートの一例である。第１調整プログラム４０２ａは、判定部３２（図６参照）により実行される。換言するならば、第１調整プログラム４０２ａは、判定部３２を含む受信部２０（図１参照）により実行される。
【０３０８】
―ステップＳ１００２―
第２ＣＰＵ５６ｂは先ず、終了プログラム等による割り込み処理を許可する。
【０３０９】
―ステップＳ１００４―
ステップＳ１００２の後、第２ＣＰＵ５６ｂは、第１履歴テーブル９６ａ（図３１参照）を参照して、判定開始日時４１４から判定終了日時４１６までの期間のうち切替え処理が実行された最新の期間を検出する。
【０３１０】
切替え処理は、ステップＳ３０８（図３３参照）で実行される処理である。以下、判定開始日時４１４（図３１参照）から判定終了日時４１６までの期間を判定期間と呼ぶ。
【０３１１】
具体的には、第２ＣＰＵ５６ｂは例えば、第１履歴テーブル９６ａを参照して、全ての判定期間を検出する。第２ＣＰＵ５６ｂは、検出した判定期間のうち絶対値が第１閾値１１２ａより大きい第１偏波変動量４６ａ（またはエラーデータ）を含む判定期間を抽出する。
【０３１２】
第２ＣＰＵ５６ｂは更に、判定開始日時４１４（または判定終了日４１６）に基づいて、抽出された判定期間のうちの最新の判定期間を検出する。この最新の判定期間が、切替え処理が実行された最新の判定期間である。
【０３１３】
―ステップＳ１００６―
第２ＣＰＵ５６ｂは、ステップＳ１００４で検出した「切替えが実行された最新の判定期間」において、切替え処理の前に変換エラーが発生していたか否か判定する。切替え処理の前に変換エラーが発生していたと判定した場合、第２ＣＰＵ５６ｂはステップＳ１００８に進む。切替え処理の前に変換エラーが発生していないと判定した場合、第２ＣＰＵ５６ｂはステップＳ１００４に戻る。
【０３１４】
具体的には、第２ＣＰＵ５６ｂは例えば、第１履歴テーブル９６ａを参照して、ステップＳ１００４で検出された判定期間において最初に第１偏波変動量４６ａが第１閾値１１２ａを超えた日時（以下、切替え日時と呼ぶ）を特定する。第２ＣＰＵ５６ｂは更に、第１履歴テーブル９６ａを参照して、ステップＳ１００４で検出された判定期間において切替日時の前にエラーデータ１２０が受信されたか否か判定する。
【０３１５】
第２ＣＰＵ５６ｂは、切替え日時の前にエラーデータ１２０が受信されていたと判定した場合には、ステップＳ１００８に進む。第２ＣＰＵ５６ｂは、切替日時の前にエラーデータ１２０が受信されていないと判定した場合には、ステップＳ１００４に戻る。
【０３１６】
―ステップＳ１００８―
第２ＣＰＵ５６ｂは、第２フラグ１０９ｂ（図３２参照）を参照して、第４判定処理への割り込みが許可されているか否か判定する。すなわち第２ＣＰＵ５６ｂは、第１閾値１１２ａの書換えが許可されているか否か判定する。
【０３１７】
第２ＣＰＵ５６ｂは、割り込みが許可されていると判定した場合、ステップＳ１０１０に進む。第２ＣＰＵ５６ｂは、割り込みが許可されていないと判定した場合、ステップＳ１００８を再度実行する。
【０３１８】
―ステップＳ１０１０―
第２ＣＰＵ５６ｂは、閾値テーブル１０８（図１４参照）の第１閾値１１２ａの値を減少させる。その後、第２ＣＰＵ５６ｂはステップＳ１００４に戻る。
【０３１９】
図３５は、第１閾値１１２ａを減少させる手順の一例を説明する図である。横軸は時間である。縦軸は、第１偏波変動量４６ａの絶対値である。横軸および縦軸は線形軸である。縦方向に延びる破線１２４は、第１トランスポンダ２４ａで変換エラーが発生した時の第１偏波変動量４６ａの絶対値を示している。なお実施の形態４のＤＳＰチップ５０は、変換エラーが発生した場合、第１偏波変動量４６ａの代わりにエラーデータを出力する。従って、縦方向に延びる破線１２４が表す第１偏波変動量４６ａは、判定部３２には送出されない。
【０３２０】
第２ＣＰＵ５６ｂは例えば、第１履歴テーブル９６ａ（図３１参照）から、最新の判定期間１２８（図３５参照）の開始からエラーデータ１２０が最初に受信される時点１３０までの間に検出された第１偏波変動量４６ａを抽出する。第２ＣＰＵ５６ｂは更に、抽出した第１偏波変動量４６ａの絶対値１３２うち第４閾値１１２ｄより大きく第１閾値１１２ａより小さい第１偏波変動量４６ａの絶対値の中央値を導出する。第２ＣＰＵ５６ｂは、閾値テーブル１０８（図１４参照）の第１閾値１１２ａの値を、導出した中央値に変更する。その後、第２ＣＰＵ５６ｂはステップＳ１００４に戻る。
【０３２１】
以上のように、第２ＣＰＵ５６ｂは、第４判定プログラム９０ｄ、第３記録プログラム９２ｃ、および第１調整プログラム４０２ａを実行することで第１閾値１１２ａを減少させて、伝送エラーの発生を抑制する。
【０３２２】
具体的には、第２ＣＰＵ５６ｂは、伝送情報４２を出力させるトランスポンダを切り替える前に第１トランスポンダ２４ａで変換エラーが発生した場合、閾値テーブル１０８の第１閾値１１２ａを減少させる。
【０３２３】
減少後の第１閾値１１２ａは、上記中央値でなくてもよい。減少後の第１閾値１１２ａは例えば、減少前の第１閾値１１２ａと第４閾値１１２ｄの平均値であってもよい。
【０３２４】
（４）伝送エラーの抑制
図３６は、減少させた第１閾値１１２ａと第１偏波変動量４６ａの関係を示す図である。横軸は時間である。縦軸は、第１偏波変動量４６ａの絶対値である。横軸および縦軸は線形軸である。
【０３２５】
上述した図３５は、減少させる前の第１閾値１１２ａと第１偏波変動量４６ａの関係を示している。図３５に示す例では、トランスポンダが切り替えられる時点１２６の前に、変換エラーが発生している。その結果、受信部２０からの伝送情報４２の出力は一時的に途絶える。
【０３２６】
一方、図３６の第１閾値１１２ａは、図３５の第１閾値１１２ａより小さい。その結果、トランスポンダが切り替えられる時点１２６が、エラーデータ１２０が最初に受信される時点１３０の前になる。従って、受信部２０からの伝送情報４２の出力が中断することはない。
【０３２７】
以上のように、実施の形態４の受信部２０は、第２信号光６ｂにより伝達される伝送情報４２の出力が開始する前に第１信号光６ａにより伝達される伝送情報の出力４２が中断した場合、第１閾値１１２ａを減少させる。
【０３２８】
第１閾値１１２ａが減少すると、第２信号光６ｂにより伝達される伝送情報４２の出力が開始するタイミングが早くなる。その結果、伝送エラーの発生が抑制される。
【０３２９】
以上の例では、実施の形態４の受信部２０は、実施の形態２の第２判定処理の各ステップとステップＳ９０２〜Ｓ９１０とを実行するように構成されている。しかし実施の形態４の受信部２０は、実施の形態１の第１判定処理（または変形例）の各ステップとステップＳ９０２〜Ｓ９１０とを実行するように構成されてもよい（実施の形態５についても同様）。或いは、実施の形態４の受信部２０は、実施の形態３の第３判定処理の各ステップとステップＳ９０２〜Ｓ９１０とを実行するように構成されてもよい（実施の形態５についても同様）。この場合、実施の形態４の検出部２２は、実施の形態３の検出部２２と実質的に同じ動作をするように構成される。
【０３３０】
（実施の形態５）
実施の形態５の光伝送装置は、過小に設定された第１閾値を増加させることで、予備のルートである第２ルート１０ｂへの依存度を抑制する光伝送装置である。実施の形態５の光伝送装置は、実施の形態２〜４の光伝送装置に類似している。従って、実施の形態２〜４と同じ部分等については、説明を省略または簡単にする。
【０３３１】
（１）構成および動作
実施の形態５の光伝送装置は、実施の形態２の光伝送装置２、１０２と実質的に同じ構造（図１およ６参照）を有する。すなわち実施の形態５の光伝送装置は、受信部２０と検出部２２とを有する。
【０３３２】
実施の形態５の検出部２２は、実施の形態２の検出部２２と実質的に同じ動作をするように構成されている。
【０３３３】
同様に、実施の形態５の受信部２０は、実施の形態２の受信部２０と実質的に同じ動作をするように構成されている。実施の形態５の受信部２０は更に一定の場合に、第１閾値１１２ａを増加させるように構成されている。
【０３３４】
具体的には受信部２０は、第１信号光より伝達される伝送情報の出力の実行と第２信号光により伝達される伝送情報の出力の実行とが繰り返されながら第１信号光よる伝送情報の出力が中断されない場合、第１閾値を増加させる。
【０３３５】
第１閾値１１２ａが増加すると、第２ルート１０ｂからの伝送情報４２が出力される時間が減少する。すなわち、予備のルートである第２ルート１０ｂへの依存度が抑制される。
【０３３６】
（２）ハードウエア 
実施の形態５の光伝送装置は、実施の形態２の光伝送装置のハードウエア構成（例えば、図８参照）と実質的に同じハードウエア構成を有する。
【０３３７】
（３）ソフトウエア
（３−１）プログラム
図３７は、判定部３２（図８参照）の不揮発性メモリ１６０に記録されるプログラムおよびデータファイル４９４を示す図である。
【０３３８】
実施の形態５の光伝送装置の不揮発性メモリ１６０には、第４判定プログラム９０ｄ、第３記録プログラム９２ｃ、および第２調整プログラム４０２ｂが記録される。
【０３３９】
（３−２）データファイル
不揮発性メモリ１６０には、第１履歴テーブル９６ａ、閾値テーブル１０８、および第２フラグ１０９ｂが記録される。
【０３４０】
（３−３）処理
第２ＣＰＵ５６ｂは、不揮発性メモリ１６０から第４判定プログラム９０ｄ、第３記録プログラム９２ｃ、および第２調整プログラム４０２ｂを読み出して並行して、実行する。第４判定プログラム９０ｄおよび第３記録プログラム９２ｃについては、実施の形態４で説明した。
【０３４１】
（３−３−１）第２調整処理（第２調整プログラム４０２ｂによる処理）
図３８は、第２調整プログラム４０２ｂのフローチャートの一例である。第２調整プログラムは、判定部３２（図６参照）により実行される。換言するならば、第２調整プログラムは、判定部３２を含む受信部２０により実行される。
【０３４２】
―ステップＳ１１０２―
第２ＣＰＵ５６ｂは先ず、終了プログラム等による割り込み処理を許可する。
【０３４３】
―ステップＳ１１０４―
第２ＣＰＵ５６ｂは、第１履歴テーブル９６ａ（図３１参照）を参照して、切替え処理が実行された直近のＭ個（例えば、１０個）の判定期間を検出する。Ｍは例えば、２以上１００以下の整数である。
【０３４４】
具体的には、第２ＣＰＵ５６ｂは例えば、第１履歴テーブル９６ａを参照して、絶対値が第１閾値１１２ａより大きい第１偏波変動量４６ａが検出された全ての判定期間を抽出する。第２ＣＰＵ５６ｂは更に、判定開始日時４１４（または判定終了日４１６）に基づいて、抽出された判定期間から直近のＭ個の判定期間を検出する。
【０３４５】
―ステップＳ１１０６―
第２ＣＰＵ５６ｂは、ステップＳ１１０４で検出された判定期間の何れかで、切替え（図２１のステップＳ３０８）の前に変換エラーが発生していたか否か判定する。何れかの判定期間で切替え前に変換エラーが発生していたと判定した場合、第２ＣＰＵ５６ｂはステップＳ１１０４に戻る。何れの判定期間でも切替えの前に変換エラーが発生していないと判定した場合、第２ＣＰＵ５６ｂはステップＳ１１０８に進む。
【０３４６】
具体的には、第２ＣＰＵ５６ｂは例えば、第１履歴テーブル９６ａを参照して、ステップＳ１１０４で検出した各判定期間において最初に第１偏波変動量４６ａの絶対値が第１閾値１１２ａを超えた日時（以下、切替え日時と呼ぶ）を特定する。第２ＣＰＵ５６ｂは更に、第１履歴テーブル９６ａを参照して、ステップＳ１１０４で検出した各判定期間において切替え日時の前にエラーデータ１２０が受信されたか否か判定する。
【０３４７】
第２ＣＰＵ５６ｂは、何れかの判定期間で切替え日時の前にエラーデータ１２０が受信されていたと判定した場合には、ステップＳ１１０４に戻る。第２ＣＰＵ５６ｂは、何れの判定期間でも切替え日時の前にエラーデータ１２０が受信されていないと判定した場合には、ステップＳ１１０８に進む。
【０３４８】
―ステップＳ１１０８―
第２ＣＰＵ５６ｂは、第２フラグ１０９ｂ（図３２参照）を参照して、第４判定処理への割り込みが許可されているか否か判定する。すなわち第２ＣＰＵ５６ｂは、第１閾値１１２ａの書換えが許可されているか否か判定する。
【０３４９】
第２ＣＰＵ５６ｂは、割り込みが許可されていると判定した場合、ステップＳ１１１０に進む。第２ＣＰＵ５６ｂは、割り込みが許可されていないと判定した場合、ステップＳ１１０８を再度実行する。
【０３５０】
―ステップＳ１１１０―
第２ＣＰＵ５６ｂは、閾値テーブル１０８（図１４参照）の第１閾値１１２ａを増加させる。その後、第２ＣＰＵ５６ｂはステップＳ１１０４に戻る。
【０３５１】
図３９は、第１閾値１１２ａを増加させる手順の一例を説明する図である。横軸は時間である。縦軸は、第１偏波変動量４６ａの絶対値である。横軸および縦軸は線形軸である。
【０３５２】
第２ＣＰＵ５６ｂは例えば、ステップＳ１１０４で検出した各判定期間１３４の開始から各判定期間において第１偏波変動量４６ａの絶対値が最大になる時点１３５（または、エラーデータの検出時点）までの期間１３６を検出する。
【０３５３】
第２ＣＰＵ５６ｂは更に、第１履歴テーブル９６ａを参照して、検出した各期間１３６に受信した第１偏波変動量４６ａの絶対値であって第１閾値１１２ａ以上の絶対値１３８を検出する。第２ＣＰＵ５６ｂは、各期間１３６内で検出した絶対値１３８の中央値（以下、第１中央値と呼ぶ）を導出する。第２ＣＰＵ５６ｂは更に、第１中央値の中央値（以下、第２中央値と呼ぶ）を算出する。第２ＣＰＵ５６ｂは、閾値テーブル１０８（図１４参照）の第１閾値１１２ａを、算出した第２中央値に変更する。その後、第２ＣＰＵ５６ｂはステップＳ１１０４に戻る。
【０３５４】
増加後の第１閾値１１２ａは、第２中央値でなくてもよい。増加後の第１閾値１１２ａは例えば、増加前の第１閾値１１２ａの１．１〜２．０倍の閾値であってもよい。
【０３５５】
（４）第２ルートへの依存度の抑制
図４０は、増加させた第１閾値１１２ａと第１偏波変動量４６ａの関係を示す図である。横軸は時間である。縦軸は、第１偏波変動量４６ａの絶対値である。横軸および縦軸は線形軸である。
【０３５６】
上述した図３９は、増加させる前の第１閾値１１２ａと第１偏波変動量４６ａの関係を示している。図３９に示す例では、第１閾値１１２ａが小さく設定されている。従って、偏波の変動が始まって間もない時期に、伝送情報４２を出力するトランスポンダが第１トランスポンダ２４ａから第２トランスポンダ２４ｂに切り替えられる。このため、第２ルート１０ｂを介した情報を出力する期間が長くなる。第２ルート１０ｂは予備の伝送路なので、長時間の使用は好ましくない。
【０３５７】
図４０の第１閾値１１２ａは、図３９の第１閾値１１２ａより大きい。従って、図４０に示す例では、トランスポンダが切り替えられる時点１２６が、図３９に示す例より遅くなる。その結果、情報伝送のために第２ルート１０ｂを使用する時間が短くなる。
【０３５８】
なお第２ＣＰＵ５６ｂは、実施の形態５の第２調整処理と実施の形態４の第１調整処理とを、並行して実行してもよい。第２調整処理と第１調整処理との並行実行により、第１閾値が過小に設定された場合および第１閾値が過大に設定された場合の両方に対処することができる。
【０３５９】
以上のように、実施の形態５の受信部２０は、直近のＭ個（Ｍは２以上の整数）の判定期間でトランスポンダの切替え前に変換エラーが発生しない場合、第１閾値１１２ａを増加させる。すなわち、実施の形態５の受信部２０は、第１信号光６ａによる伝送情報４２の出力と第２信号光６ｂによる伝送情報４２の出力とが繰り返されながら第１信号光６ａによる伝送情報４２の出力が中断されない場合、第１閾値１１２ａを増加させる。第１閾値１１２ａが増加すると、第２ルート１０ｂからの伝送情報４２を出力する時間が減少する。従って、第２ルート１０ｂへの依存度が抑制される。
【０３６０】
（実施の形態６）
実施の形態６の光伝送装置は、第１ルート１０ａからの第１信号光の第１偏波変動量が第１閾値を超えた場合、伝送情報を再生するブロックに供給する信号光を第１ルート１０ａからの信号光から第２ルート１０ｂからの信号光に変更する装置である。実施の形態６によれば、第１信号光の偏波が落雷により大きく変動する前に、伝送情報を再生するブロック（以下、第３受信部と呼ぶ）に供給される信号光が第２ルート１０ｂからの信号光に変更される。その結果、第１ルート１０ａ近傍の落雷による伝送エラーが抑制される。
【０３６１】
実施の形態６の光伝送装置は、実施の形態２の光伝送装置に類似している。従って、実施の形態２と同じ部分等については、説明を省略または簡単にする。
【０３６２】
（１）構成および動作
（１−１）構成例１
図４１は、実施の形態６の光伝送装置６０２が適用された光通信システム６０４の一例を示す図である。図４２は、光通信システム６０４における信号光６ａ、６ｂの流れを示す図である。
【０３６３】
−光伝送装置−
光伝送装置６０２は、受信部６２０と検出部６２２とを有する。受信部６２０は、ルート切替え部６０６と第３受信部２６ｃとを有する。ルート切替え部６０６は、第１信号光６ａ（図４２参照）と第２信号光６ｂとを受信する。
【０３６４】
ルート切替え部６０６は、第１偏波変動量４６ａの絶対値が第１閾値１１２ａを超える前は第１信号光６ａを第３受信部２６ｃに送信する。ルート切替え部６０６は更に、第１信号光６ａの第１偏波変動量４６ａの絶対値が第１閾値１１２ａを超えた後は第２信号光６ｂを第３受信部２６ｃに送信する。
【０３６５】
第３受信部２６ｃは、送信された第１信号光６ａから伝送情報を再生して出力し更に、送信された第２信号光６ｂから伝送情報を再生して出力する。
【０３６６】
（１−２）構成例２
図４３は、実施の形態６の光伝送装置１６０２が適用された光通信システムの別の例を示す図である。図４４は、図４３における信号光６ａ、６ｂの流れを示す図である。
【０３６７】
伝送ルート（第１ルート１０ａ〜第４ルート１０ｄ）の一端には、光伝送装置１６０２が接続される。伝送ルート（第１ルート１０ａ〜第４ルート１０ｄ）の他端には、光伝送装置１６０２と実質的に同じ構造および機能を有する光伝送装置（図示せず）が接続される。図４３の光通信システムによれば、双方向通信が可能になる。
【０３６８】
第１ルート１０ａは例えば、２芯ＯＰＧＷの一方の光ファイバを通るルートである。第３ルート１０ｃは、この２芯ＯＰＧＷの他方の光ファイバを通る。
【０３６９】
第２ルート１０ｂは例えば、第１ルート１０ａが通るＯＰＧＷとは異なる２芯ＯＰＧＷの一方の光ファイバを通るルートである。第４ルート１０ｄは、この２芯ＯＰＧＷの他方の光ファイバを通る。
【０３７０】
−光伝送装置−
光伝送装置１６０２は、第１トランスポンダ２４ａ、第２トランスポンダ２４ｂ、判定部６３２、および光路スイッチ１６０６を有する。
【０３７１】
（１−２−１）トランスポンダ
光伝送装置１６０２の第１トランスポンダ２４ａは、後述する電気光変換回路５４の構造以外は、実施の形態１の第１トランスポンダ２４ａ（図６参照）と実質的に同じ構造を有する。第２トランスポンダ２４ｂについても同様である。
【０３７２】
光伝送装置１６０２の第１トランスポンダ２４ａは、後述する電気光変換回路５４の動作以外は、実施の形態１の第１トランスポンダ２４ａと実質的に同じ動作をするように構成されている。第２トランスポンダ２４ｂについても同様である。
【０３７３】
一方、第１トランスポンダ２４ａの第１受信部２６ａは、第１Ｙケーブル３４ａを介さずにルータ等の通信機器に接続される。第１トランスポンダ２４ａの第１送信部２８ａについても同様である。
【０３７４】
第２トランスポンダ２４ｂの第１受信部２６ａは、ルータ等の通信機器には接続されない。第２トランスポンダ２４ｂの第２送信部２８ｂは、第２ルート１０ｂおよびルータ等の通信機器の何れにも接続されない。
【０３７５】
（１−２−２）判定部
判定部６３２は、実施の形態１の判定部３２と実質的に同じ構造を有する。
【０３７６】
実施の形態１の判定部３２は、第１検出部３０ａを介して第１受信部２６ａに第１コマンド４８ａに送出する。実施の形態１の判定部３２は更に、第２検出部３０ｂを介して第２受信部２６ｂに第２コマンド４８ｂに送出する。一方、光伝送装置１６０２の判定部６３２は、光路スイッチ１６０６に、第３制御信号８０ｃと第４制御信号８０ｄとを送出する。
【０３７７】
以上の点を除き、判定部６３２は、実施の形態１の判定部３２と実質的に同じ動作をするように構成されている。
【０３７８】
（１−２−３）光路スイッチ
光路スイッチ１６０６は例えば、ＯＵＰＳＲ（Optical Uni-directional Path Switched Ring）である。
【０３７９】
光路スイッチ１６０６は、第１ルート１０ａからの第１信号光６ａを受信する第１光カプラ６０８ａと、第２ルート１０ｂからの第２信号光６ｂを受信する第２光カプラ６０８ｂとを有する。第１光カプラ６０８ａおよび第２光カプラ６０８ｂは例えば、入力光を２分割するように長さが調整された方向性結合器である。後述する第３光カプラ６０８ｃについても同様である。
【０３８０】
光路スイッチ１６０６は更に、第１光カプラ６０８ａにより分割された第１信号光６ａの一方と、第２光カプラ６０８ｂにより分割された第２信号光６ｂの一方とを受信する第１光スイッチ６１０ａを有する。第１光スイッチ６１０ａは、受信した第１信号光６ａおよび受信した第２信号光６ｂの何れか一方を送出する。後述する第２光スイッチ６１０ｂについても同様である。
【０３８１】
第１光スイッチ６１０ａにより送出された信号光は、第１トランスポンダ２４ａの第１受信部２６ａにより受信される。第１光スイッチ６１０ａは例えば、制御信号に応答して出力する信号光を切替えるように構成された方向性結合器である。
【０３８２】
光路スイッチ１６０６は更に、第１光カプラ６０８ａにより分割された第１信号光６ａの他方と、第２光カプラ６０８ｂにより分割された第２信号光６ｂの他方とを受信する第２光スイッチ６１０ｂとを有する。第２光スイッチ６１０ｂは、受信した第１信号光６ａおよび受信した第２信号光６ｂの何れか一方を送出する。
【０３８３】
第２光スイッチ６１０ｂにより送出された信号光は、第２トランスポンダ２４ｂの第２受信部２６ｂにより受信される。
【０３８４】
光路スイッチ１６０６は更に、制御回路６１２を有する。制御回路６１２は、判定部６３２からの第３制御信号８０ｃに応答して、第１光スイッチ６１０ａおよび第２光スイッチ６１０ｂを制御する。制御回路６１２は例えば、ＡＳＩＣ（Application Specific Integrated Circuit）である。制御回路６１２は、ＣＰＵ、不揮発性メモリ、ＲＡＭ等のメモリ、およびインターフェイス回路を有する装置であってもよい。不揮発性メモリには、第１光スイッチ６１０ａおよび第２光スイッチ６１０ｂを制御する制御プログラムが記録される。
【０３８５】
制御回路６１２は、第１光スイッチ６１０ａが第１信号光６ａおよび第２信号光６ｂの一方を送出し、第２光スイッチ６１０ｂが第１信号光６ａおよび第２信号光６ｂの他方を送出するように、第１及び第２光スイッチ６１０ａ、６１０ｂを制御する。
【０３８６】
光路スイッチ１６０６は更に、第３光カプラ６０８ｃを有する。第３光カプラ６０８ｃは、第1トランスポンダ２４ａの第１送信部２８ａが送出する送信光７４を分割して、分割した送信光の一方を第３ルート１０ｃに送出し、他方を第４ルート１０ｄに送出する。
【０３８７】
構成例１（図４１参照）のルート切替部６０６は、光路スイッチ１６０６と判定部６３２とを含むブロックである。
【０３８８】
構成例１の第３受信部２６ｃは、構成例２の第１受信部２６ａに相当する。
【０３８９】
構成例１の検出部６２２は、構成例２の第１検出部３０ａ、構成例２の第２受信部２６ｂ、および構成例２の第２検出部３０ｂを含むブロックである。
【０３９０】
（１−２−４）動作
光伝送装置１６０２が起動されると、制御回路６１２は例えば、第１光スイッチ６１０ａを制御して第１光カプラ６０８ａを第１受信部２６ａに接続する。制御回路６１２は更に、第２光スイッチ６１０ｂを制御して、第２光カプラ６０８ｂを第２受信部２６ｂに接続する。
【０３９１】
第１光カプラ６０８ａは、第１ルート１０ａから第１信号光６ａを受信すると、受信した第１信号光６ａを２分割して一方を第１光スイッチ６１０ａに送出し、他方を第２光スイッチ６１０ｂに送出する。
【０３９２】
一方、第２光カプラ６０８ｂは、第２ルート１０ｂから第２信号光６ｂを受信すると、受信した第２信号光６ｂを２分割して一方を第１光スイッチ６１０ａに送出し、他方を第２光スイッチ６１０ｂに送出する。
【０３９３】
第１光スイッチ６１０ａは、第１光カプラ６０８ａから受信した第１信号光６ａ（分割された第１信号光６ａの一方）を第１受信部２６ａに送出する。一方、第２光スイッチ６１０ｂは、第２光カプラ６０８ｂから受信した第２信号光６ｂ（分割された第２信号光６ｂの他方）を第２受信部２６ｂに送出する。
【０３９４】
第１受信部２６ａは、受信した第１信号光６ａから伝送情報４２を再生して出力する。第１検出部３０ａは、第１受信部２６ａが受信した第１信号光６ａの第１偏波変動量４６ａを検出して、判定部６３２に送出する。
【０３９５】
一方、第２受信部２６ｂは、受信した第２信号光６ｂから伝送情報を再生するが、再生した伝送情報は出力しない。第２検出部３０ｂは、第２受信部２６ｂが受信した第２信号光６ｂの第２偏波変動量４６ｂを検出して、判定部６３２に送出する。
【０３９６】
判定部６３２は、受信した第１偏波変動量４６ａが第１閾値１１２ａを超えているか否か判定し、第１偏波変動量４６ａが第１閾値１１２ａを超えていると判定した場合には、第３制御信号８０ｃを光路スイッチ１６０６の制御回路６１２に送出する。
【０３９７】
第３制御信号８０ｃを受信した制御回路６１２は、第１光スイッチ６１０ａを制御して第２光カプラ６０８ｂを第１受信部２６ａに接続する。制御回路６１２は更に、第２光スイッチ６１０ｂを制御して第１光カプラ６０８ａを第２受信部２６ｂに接続する。
【０３９８】
すると、第１光スイッチ６１０ａは、第２カプラ６０８ｂから受信した第２信号光６ｂ（分割された第２信号光６ｂの他方）を第１受信部２６ａに送出する。一方、第２光スイッチ６１０ｂは、第１光カプラ６０８ａから受信した第１信号光６ａ（分割された第１信号光６ａの他方）を第２受信部２６ｂに送出する。
【０３９９】
第１受信部２６ａは、受信した第２信号光６ｂから伝送情報４２を再生して出力する。第１検出部３０ａは、第１受信部２６ａが受信した第２信号光６ｂの第２偏波変動量４６ｂを検出して、判定部６３２に送出する。
【０４００】
一方、第２受信部２６ｂは、受信した第１信号光６ａから伝送情報４２を再生するが、再生した伝送情報４２は出力しない。第２検出部３０ｂは、第２受信部２６ｂが受信した第１信号光６ａの第１偏波変動量４６ａを検出して、判定部６３２に送出する。
【０４０１】
第１送信部２８ａは、ルータ等の通信機器（図示せず）から受信した信号光１０６を送信光７４に変換して、第３光カプラ６０８ｃに送出する。第３光カプラ６０８ｃは受信した送信光７４を分割して、分割した送信光７４の一方を第１ルート１０ａに送出する。第３光カプラ６０８ｃは更に、分割した送信光７４の他方を第２ルート１０ｂに送出する。
【０４０２】
（２）ハードウエア
（２−１）トランスポンダ
実施の形態６の第１トランスポンダ２４ａは、電気光変換回路５４（図８参照）のレーザ・ドライバー７６（図１１参照）が、起動直後からＤＳＰチップ５０からの電気信号７０ａに応答して半導体レーザ７８を駆動し続けるように構成される。実施の形態６の第１トランスポンダ２４ａは以上の点を除き、実施の形態１の第１トランスポンダ２４ａのハードウエア（図８参照）と実質的に同じハードウエア構成を有する。第１ＣＰＵ５６ａ、メモリ５８、および不揮発性メモリ６０は省略してもよい。第２トランスポンダ２４ｂについても同様である。
【０４０３】
第１受信部２６ａ（すなわち、第３受信部２６ｃ）は、実施の形態１の第１受信部２６ａと同様、第１トランスポンダ２４ａのうちの光電気変換回路５２、ＤＳＰチップ５０、電気光変換回路５４、第１ＣＰＵ５６ａ、およびメモリ５８により実現される。第２受信部２６ｂについても、同様である。
【０４０４】
第１検出部３０ａは、第１トランスポンダ２４ａのうちのＤＳＰチップ５０（特に、偏波検出部８８）により実現される。第２検出部３０ｂについても同様である。
【０４０５】
なお、実施の形態６の電気光変換回路５４は、実施の形態１の電気光変換回路５４と実質的に同じ構造を有してもよい。この場合には、第５判定プログラム９０ｅ（「（３−３−１）第５判定処理」参照）は例えば、トランスポンダを初期化するステップＳ３０４を有する。
【０４０６】
（２−２）判定部
判定部６３２は、実施の形態１の判定部３２（図８参照）と実質的に同じハードウエア構成を有する。従って判定部６３２は、第２ＣＰＵ５６ｂとメモリ１５８とにより実現される（実施の形態１参照）。
【０４０７】
（２−３）光路スイッチ
光路スイッチ１６０６のハードウエア構成は、「（１−２−３）光路スイッチ」で説明した。
【０４０８】
（３）ソフトウエア
（３−１）プログラム
図４５は、判定部６３２の不揮発性メモリ１６０（図８参照）に記録されたプログラムおよびデータファイル６９４を示す図である。
【０４０９】
図４５に示すように、実施の形態６の不揮発性メモリ１６０には、第５判定プログラム９０ｅ、第１記録プログラム９２ａが記録される。
【０４１０】
（３−２）データファイル
図４５に示すように、実施の形態６の不揮発性メモリ１６０には、第１履歴テーブル９６ａと閾値テーブル１０８とが記録される。
【０４１１】
（３−３）処理
第２ＣＰＵ５６ｂは、不揮発性メモリ１６０から第５判定プログラム９０ｅと第１記録プログラム９２ａとを読み出して並行して実行する。第１記録プログラム９２ａについては、実施の形態１で説明した。
【０４１２】
（３−３−１）第５判定処理（第５判定プログラム９０ｅによる処理）
図４６は、第５判定プログラム９０ｅのフローチャートの一例である。第５判定プログラム９０ｅは、第１ルート１０ａからの光の第１偏波変動量４６ａを監視して第１偏波変動量４６ａの絶対値が第１閾値１１２ａを超えた場合、第２ルート１０ｂからの信号光から伝送情報４２を再生して出力するためのプログラムである。第５判定プログラム９０ｅは、判定部６３２により実行される。換言するならば、第５判定プログラム９０ｅは、判定部６３２を含む受信部６２０により実行される。
【０４１３】
図４６の第５判定プログラム９０ｅは、実施の形態２で説明した第２判定プログラムに類似している。図４６の破線で示されたステップは、実施の形態１〜２で説明したステップである。
【０４１４】
第５判定プログラム９０ｅは、第２判定プログラム９０ｂのステップＳ３０８（図２１参照）の代わりに、ステップＳ１２０２を有する。第５判定プログラム９０ｅは更に、第２判定プログラム９０ｂのステップＳ５２０（図２２参照）の代わりに、ステップＳ１２０４を有する。第５判定プログラム９０ｅは更に、トランスポンダを初期化するステップＳ３０４を有さない。以上の点を除き、第５判定プログラム９０ｅは、第２判定プログラム９０ｂと実質的に同じである。
【０４１５】
―ステップＳ１２０２―
第２ＣＰＵ５６ｂは、ステップＳ４０２〜Ｓ４１２、Ｓ３０６で第１信号光６ａの第１偏波変動量４６ａの絶対値が第１閾値１１２ａを超えたと判定した場合、光路スイッチ１６０６に、第１信号光６ａおよび第２信号光６ｂ夫々の送出先を変更させる。具体的には、第２ＣＰＵ５６ｂは、光路スイッチ１６０６の制御回路６１２（図４４参照）に第３制御信号８０ｃを送出する。
【０４１６】
制御回路６１２は、第３制御信号８０ｃを受信すると第１光スイッチ６１０ａを制御して、第２光カプラ６０８ｂを第１受信部２６ａに接続する。制御回路６１２は更に、第２光スイッチ６１０ｂを制御して、第１光カプラ６０８ａを第２受信部２６ｂに接続する。ステップＳ１２０２により、第２信号光６ｂの第１受信部２６ａへの送出が開始される。
【０４１７】
―ステップＳ１２０４―
第２ＣＰＵ５６ｂは、ステップＳ５１４（図２２参照）で第１偏波変動量４６ａの絶対値が一定の時間ｔ２の間第２閾値１１２ｂを超えていないと判定した場合、光路スイッチ１６０６に、第１及び第２信号光６ｂ、６ａ夫々の送出先を再度変更させる。
【０４１８】
具体的には、第２ＣＰＵ５６ｂは、第４制御信号８０ｄを光路スイッチ１６０６の制御回路６１２に送出する。制御回路６１２は、第４制御信号８０ｄを受信すると第１光スイッチ６１０ａを制御して、第１光カプラ６０８ａを第１受信部２６ａに接続する。制御回路６１２は更に、第２光スイッチ６１０ｂを制御して、第２光カプラ６０８ｂを第２受信部２６ｂに接続する。ステップＳ１２０４により、第１信号光６ａの第１受信部２６ａへの送出が再開される。
【０４１９】
以上のように、実施の形態６の光伝送装置は、第１ルート１０ａからの第１信号光の第１偏波変動量の絶対値が第１閾値を超えた場合、第３受信部２６ｃに供給する信号光を第１ルート１０ａからの信号光から第２ルート１０ｂからの信号光に変更する。従って、実施の形態６の光伝送装置６０２によれば、第１ルート１０ａ近傍の落雷による伝送エラーの発生が抑制される。
【０４２０】
実施の形態６の光伝送装置６０２、１６０２は、実施の形態２の処理に類似した処理を行えるように構成されている。しかし実施の形態６の光伝送装置６０２、１６０２は、実施の形態１、３〜５の処理（第１、３〜４判定処理、第１〜２調整処理等）に類似した処理を行うように構成されてもよい。
【０４２１】
具体的には、光伝送装置６０２、１６０２は例えば、実施の形態６の第５判定処理の代わりに、第１、３〜４判定処理のステップＳ３０８、Ｓ５２０を第５判定処理のステップＳ１２０２、Ｓ１２０４に変更した処理を実行してもよい。以上の点以外は、光伝送装置６０２、１６０２は、実施の形態１、３〜５の処理と略同じ処理を行ってもよい。
【０４２２】
（実施の形態７）
実施の形態７の光伝送装置は、第１信号光の偏波変動量の絶対値が第１閾値を超えた場合、光伝送路を介して受信部に接続された送信装置に、第２信号光を送信させる装置である。第２信号光は、第１信号光の変調方法とは異なる方法で変調され、ビットレートが第１信号光より低い信号光である。
【０４２３】
実施の形態７によれば、第１信号光の偏波が落雷により大きく変動する前に、ビットレートが低く偏波変動の影響を受け難い方法で変調された第２信号光が送信されるので、落雷による伝送エラーが低減される。
【０４２４】
実施の形態７の光伝送装置は、実施の形態２の光伝送装置に類似している。従って、実施の形態２と同じ部分等については、説明を省略または簡単にする。
【０４２５】
（Ａ）システム
図４７は、実施の形態７の光伝送装置７０２が適用された光通信システム７０４の一例を示す図である。図４８は、光通信システム７０４における信号光６ａ、７０６ｂの流れを示す図である。
【０４２６】
光通信システム７０４は、光伝送装置７０２、送信部７０８を有する光伝送装置７０３、光伝送装置７０２と光伝送装置７０３とを接続する光伝送路７１０を有する。光伝送路７１０は例えば、ＯＰＧＷの光ファイバである。すなわち光伝送路７１０は、旋回しながら延在する導線１８が巻き付いた領域１９を通る光ファイバ１４である（図３参照）。
【０４２７】
光通信システム７０４は更に、ネットワーク管理装置（Network Management System）７１２を有する。ネットワーク管理装置は例えば、サーバである。
【０４２８】
光通信システム７０４は更に、ルータ等の通信機器（図示せず）と光伝送装置７０２を接続するレイヤ２スイッチ７１４ａ（以下、第１レイヤ２スイッチと呼ぶ）を有する。光通信システム７０４は更に、ルータ等の通信機器（図示せず）と第１レイヤ２スイッチ７１４ａを接続する複数の第１伝送路７１５ａ（例えば、複数の光ファイバ）を有する。
【０４２９】
光通信システム７０４は更に、ルータ等の通信機器（図示せず）と光伝送装置７０３を接続するレイヤ２スイッチ７１４ｂ（以下、第２レイヤ２スイッチと呼ぶ）を有する。光通信システム７０４は更に、ルータ等の通信機器（図示せず）と第２レイヤ２スイッチ７１４ｂとを接続する複数の第２伝送路７１５ｂ（例えば、複数の光ファイバ）を有する。
【０４３０】
（Ｂ）光伝送装置
（１）構成および動作
（１−１）構成例１
光伝送装置７０２は、光伝送路７１０からの信号光から情報（すなわち、伝送情報）を再生して出力する受信部７２０を有する。光伝送装置７０２は更に、受信部７２０が受信する光（例えば、第１信号光６ａ）の第１偏波変動量４６ａを検出する検出部７２２を有する。
【０４３１】
受信部７２０は、検出部７２２が検出した第１偏波変動量４６ａを監視して、第１偏波変動量４６ａの絶対値が第１閾値を超える前は光伝送路７１０である第１光伝送路７１０ａからの第１信号光６ａから情報７４２ａを再生して出力する。
【０４３２】
受信部７２０は、検出された第１偏波変動量４６ａの絶対値が第１閾値を超えた後は、第２信号光７０６ｂを、第１光伝送路７１０ａを介して受信部７２０に接続された伝送装置７０３に送信させる。伝送装置７０３は、第１光伝送路７１０ａを介して受信部７２０に第１信号光６ａおよび第２信号光７０６ｂを送信する。
【０４３３】
第２信号光７０６ｂは、第１信号光６ａの変調方法（例えば、偏波多重変調）とは異なる方法で変調（例えば、光強度変調）されビットレートが第１信号光６ａより低い信号光である。第１信号光６ａは例えば、情報の伝達のために位相または周波数が変調された光である。第２信号光７０６ｂは例えば、情報の伝達のために強度が変調された光である。第２信号光７０６ｂは、偏波ダイバーシティにより変調された信号光であってもよい。
【０４３４】
ビットレートが低い方法で変調された信号光ほど、偏波状態の変動の影響を受け難い。光伝送装置７０２によれば、第１信号光６ａの偏波が落雷により大きく変動する前に、ビットレートが低く第１信号光６ａより偏波変動の影響を受け難い第２信号光７０６ｂにより情報の再生が開始させるので、落雷による伝送エラーが低減される。
【０４３５】
（１−２）構成例２
図４９は、実施の形態７の光伝送装置１７０２が適用された光通信システムの別の例を示す図である。図５０は、図４９における信号の流れを示す図である。
【０４３６】
光通信システム１７０４は、光伝送装置１７０２、光伝送装置１７０３、第１光伝送路７１０ａ、および第３光伝送路７１０ｃを有する。光伝送装置１７０２は、構成例１の光伝送装置７０２に相当する。光伝送装置１７０３は、構成例１の光伝送装置７０３に相当する。
【０４３７】
光伝送装置１７０２と光伝送装置１７０３は、第１光伝送路７１０ａと第３光伝送路７１０ｃとを介して接続される。第１光伝送路７１０ａと第３光伝送路７１０ｃは例えば、一つのＯＰＧＷに含まれた互いに異なる光ファイバである。構成例２の光通信システムによれば、双方向通信が可能になる。
【０４３８】
−光伝送装置−
光伝送装置１７０２は、第１トランスポンダ２４ａ、第４トランスポンダ２４ｄ、判定部７３２、分波器７１６、および合波器７１８を有する。
【０４３９】
光伝送装置１７０３は、光伝送装置１７０２と実質的に同じ構造を有する。光伝送装置１７０３は更に、光伝送装置１７０２と実質的に同じ動作をするように構成されている。従って、光伝送装置１７０３の説明は省略または簡単にする。
【０４４０】
（１−２−１）第１トランスポンダ
第１トランスポンダ２４ａは、実施の形態６の第１トランスポンダ２４ａと実質的に同じ構造を有する。第１トランスポンダ２４ａは更に、実施の形態６の第１トランスポンダ２４ａと同じ動作をするように構成されている。第１トランスポンダ２４ａは例えば、デジタルコヒーレント通信のためのトランスポンダである。
【０４４１】
（１−２−２）第４トランスポンダ
第４トランスポンダ２４ｄは、第４受信部２６ｄと第４送信部２８ｄとを有する。第４受信部２６ｄは例えば、強度変調された信号光から情報を再生し出力する装置である。
【０４４２】
第４送信部２８ｄは例えば、光（例えば、レーザ光）を強度変調して生成した信号光を、第３光伝送路７１０ｃに送信する装置である。第４送信部２８ｄが送信する信号光のビットレートは、第１送信部２８ａが送信する信号光のビットレートより低い。
【０４４３】
同様に、第４受信部２６ｄが復調する信号光のビットレートは、第１受信部２６ａが復調する信号光のビットレートより低い。第４送信部２８ｄおよび第４受信部２６ｄの帯域は例えば、１〜１０Ｇｂｐｓ（giga bits per second）である。第１送信部２８ａおよび第１受信部２６ａの帯域は例えば、１００〜１０００Ｇｂｐｓである。複数の第１伝送路７１５ａ夫々の帯域は例えば、１０Ｇｂｐｓである。複数の第２伝送路７１５ｂについても同様である。
【０４４４】
第４送信部２８ｄが送信する信号光の中心波長は、第２信号光７０６ｂの中心波長（例えば、１．３１μｍ）である。第１送信部２８ａが送信する信号光の中心波長は、第１信号光６ａの中心波長（例えば、１．５５μｍμｍ）である。すなわち第２信号光７０６ｂの中心波長（例えば、１．３１μｍ）は、第１信号光６ａの中心波長（例えば、１．５５μｍ）とは異なる波長である。
【０４４５】
（１−２−３）判定部
判定部７３２は、実施の形態２の判定部３２と実質的に同じ構造を有する。判定部３２の動作については後述する（「（１−２−６）動作」参照）。
【０４４６】
（１−２−４）分波器
分波器７１６は、第１信号光６ａを受信して、第１トランスポンダ２４ａの第１受信部２６ａに送出する。分波器７１６は更に、第２信号光７０６ｂを受信して、第４トランスポンダ２４ｄの第４受信部２６ｄに送出する。分波器７１６は例えば、誘電体多層膜を有する光フィルタである。
【０４４７】
（１−２−５）合波器
合波器７１８は、第１トランスポンダ２４ａの第１送信部２８ａが送出した信号光と第４トランスポンダ２４ｄの第４送信部２８ｄが送出した信号光とを合波して、第１光伝送路７１０ａに送出する。
【０４４８】
合波器７１８は例えば、誘電体多層膜を有する光フィルタである。合波器７１８は例えば、分波器７１６と同じ構造を有する。
【０４４９】
構成例１の受信部７２０（図４７参照）は、光伝送装置１７０２の第１受信部２６ａ、光伝送装置１７０２の第４受信部２６ｄ、光伝送装置１７０２の分波器７１６、および光伝送装置１７０２の判定部７３２を含むブロックである。構成例１の検出部７２２（図４７参照）は、光伝送装置１７０２の第１検出部３０ａに相当する。
【０４５０】
構成例１の送信部７０８は、光伝送装置１７０３の第１送信部２８ａ、および光伝送装置１７０３の第４送信部２８ｄを含むブロックである。
【０４５１】
（１−２−６）動作
光伝送装置１７０３側の第２レイヤ２スイッチ７１４ｂは、複数の第２伝送路７１５ｂを介して第１情報７４２ａを受信し、受信した第１情報７４２ａを光伝送装置１７０３の第１送信部２８ａに送信する。換言するならば、第２レイヤ２スイッチ７１４ｂは複数の送信元からの情報を多重化して、第１送信部２８ａに送信する。第１情報７４２ａは例えば、第２レイヤ２スイッチ７１４ｂから第１送信部２８ａへ、強度変調された信号光により伝達される（後述する第２情報７４２ｂについても同様）。
【０４５２】
第１送信部２８ａは、受信した第１情報７４２ａを位相（または周波数）が変調された第１信号光６ａに変換して、合波器７１８と第１光伝送路７１０ａとを介して光伝送装置１７０２の分波器７１６に送信する。第１信号光６ａは例えば、第１情報７４２ａの伝達のために偏波多重ＱＰＳＫにより変調された光である。
【０４５３】
分波器７１６は、受信した第１信号光６ａを第１トランスポンダ２４ａの第１受信部２６ａに送出する。第１受信部２６ａは、受信した第１信号光６ａから第１情報７４２ａを再生して出力する。
【０４５４】
光伝送装置１７０２側の第１レイヤ２スイッチ７１４ａは、第１受信部２６ａが出力した第１情報７４２ａを受信して、複数の第１伝送路７１５ａを介して夫々の宛先に送信する。第１情報７４２ａは、第１受信部２６ａから第１レイヤ２スイッチ７１４ａへ、例えば強度変調された信号光により伝達される（後述する第２情報７４２ｂについても同様）。
【０４５５】
―変調方法の切替え―
第１検出部３０ａは、第１信号光６ａの第１偏波変動量４６ａを検出する。判定部７３２は、第１偏波変動量４６ａを第１検出部３０ａから取得して、第１偏波変動量４６ａの絶対値が第１閾値１１２ａを超えたか否か判定する。
【０４５６】
判定部７３２は、第１偏波変動量４６ａの絶対値が第１閾値１１２ａを超えたと判定すると、ネットワーク管理装置７１２に第３コマンド４８ｃを送信する。第３コマンド４８ｃは例えば、電気信号である。
【０４５７】
ネットワーク管理装置７１２は第３コマンド４８ｃに応答して、第２レイヤ２スイッチ７１４ｂに第４コマンド４８ｄを送信する。ネットワーク管理装置７１２は更に、第３コマンド４８ｃに応答して、第１レイヤ２スイッチ７１４ａに第５コマンド４８ｅを送信する。
【０４５８】
第２レイヤ２スイッチ７１４ｂは第４コマンド４８ｄに応答して、複数の伝送路７１５ｂのうちの特定の伝送路７１５ｃからの第２情報７４２ｂを、光伝送装置１７０３の第４送信部２８ｄに送信する。伝送路７１５ｃは、複数の伝送路７１５ｂを介して伝達される情報のうち特に重要度が高い情報を伝達する伝送路である。伝送路７１５ｃは例えば、予め決定されている。
【０４５９】
第４送信部２８ｄは、受信した第２情報７４２ｂを強度変調された第２信号光７０６ｂに変換して、合波器７１８と第１光伝送路７１０ａとを介して光伝送装置１７０２の分波器７１６に送信する。
【０４６０】
分波器７１６は、受信した第２信号光７０６ｂを第４受信部２６ｄに送出する。第４受信部２６ｄは、受信した第２信号光７０６ｂから第２情報７４２ｂを再生して出力する。
【０４６１】
第１レイヤ２スイッチ７１４ａは、ネットワーク管理装置７１２からの第５コマンド４８ｅに応答して、第４受信部２６ｄが出力した第２情報７４２ｂを夫々の宛先に送信する。
【０４６２】
―変調方法の切戻し―
判定部７３２は、第３コマンド４８ｃの送信後に第１偏波変動量４６ａの絶対値が第１閾値１１２ａより小さい第２閾値１１２ｂを一定の時間ｔ２下回り続けた場合、ネットワーク管理装置７１２に第６コマンド４８ｆを送信する。ネットワーク管理装置７１２は、第６コマンド４８ｆに応答して、第２レイヤ２スイッチ７１４ｂに第７コマンド４８ｇを送信する。ネットワーク管理装置７１２は更に、第１レイヤ２スイッチ７１４ａに第８コマンド４８ｈを送信する。
【０４６３】
第２レイヤ２スイッチ７１４ｂは、第７コマンド４８ｇに応答して、第１情報７４２ａの第１送信部２８ａへの送信を再開する。その結果、第１信号光６ａの送信が再開される。光伝送装置１７０２の第１受信部２６ａは、この第１信号光６ａからの第１情報７４２ａの再生と出力を再開する。
【０４６４】
第１レイヤ２スイッチ７１４ａは、第８コマンド４８ｈに応答して、光伝送装置１７０２の第１受信部２６ａが出力する第１情報７４２ａを夫々の宛先へ送信する。
【０４６５】
（２）ハードウエア
（２−１）第１トランスポンダ
第１トランスポンダ２４ａは、実施の形態６の第１トランスポンダ２４ａと実質的に同じハードウエア構成を有する。
【０４６６】
（２−２）第４トランスポンダ
図５１は、第４トランスポンダ２４ｄのハードウエア構成の一例を示す図である。図５２は、第４トランスポンダ２４ｄにおける信号の流れの一例を説明する図である。第４トランスポンダ２４ｄは、第１レイヤ２スイッチ７１４ａ側（図５０参照）の光電気変換回路７５２と光伝送路７１０ａ、７１０ｃ側（図５０参照）の電気光変換回路７５４とを有する。第４トランスポンダ２４ｄは更に、光伝送路７１０ａ、７１０ｃ側の光電気変換回路８５２と第１レイヤ２スイッチ７１４ａ側の電気光変換回路８５４とを有する。第４トランスポンダ２４ｄは更に、集積回路７２６を有する。
【０４６７】
（２−２−１）光電気変換回路
第１レイヤ２スイッチ７１４ａ側の光電気変換回路７５２は、第１レイヤ２スイッチ７１４ａからの強度変調された信号光７６０（図５２参照）を、電気信号７７０に変換する。光伝送路７１０ａ、７１０ｃ側の光電気変換回路８５２は、信号光７６２（例えば、第２信号光７０６ｂ）を電気信号７７２に変換する。
【０４６８】
光電気変換回路７５２は例えば、信号光を光電流に変換するフォトダイオード、フォトダイオードの駆動回路、およびフォトダイオードが生成する光電流を増幅する増幅器を有する回路である。光伝送路７１０ａ、７１０ｃ側の光電気変換回路８５２についても、同様である。
【０４６９】
（２−２−２）電気光変換回路
光伝送路７１０ａ、７１０ｃ側の電気光変換回路７５４は、集積回路７２６からの電気信号７７４を強度変調された送信光７６４に変換する。第１レイヤ２スイッチ７１４ａ側の電気光変換回路８５４は、集積回路７２６からの電気信号７７６を強度変調された送信光７６６に変換する。
【０４７０】
光伝送路７１０ａ、７１０ｃ側の電気光変換回路７５４は例えば、半導体レーザ、および電気信号７７４に応答して半導体レーザを駆動するレーザ・ドライバーとを有する装置である。第１レイヤ２スイッチ７１４ａ側の電気光変換回路８５４についても同様である。
【０４７１】
（２−２−３）集積回路
集積回路７２６は図５１に示すように、第１フレーム処理部７８６ａ、誤り訂正部７８４、および第２フレーム処理部７８６ｂを有する。集積回路７２６は例えば、半導体チップであるＡＳＩＣである。
【０４７２】
第１フレーム処理部７８６ａは、光電気変換回路８５２からのシリアルな電気信号７７２をデータ（例えば、パラレルなビット列）に変換して、誤り訂正部７８４に送出する。誤り訂正部７８４は受信したデータの誤りを訂正して、第２フレーム処理部７８６ｂに送出する。第２フレーム処理部７８６ｂは受信したデータを、シリアルな電気信号７７６に変換して出力する。
【０４７３】
第２フレーム処理部７８６ｂは更に、光電気変換回路７５２からのシリアルな電気信号７７０をデータ（例えば、パラレルなビット列）に変換して、誤り訂正部７８４に送出する。誤り訂正部７８４は受信したデータの誤りを訂正して、第１フレーム処理部７８６ａに送出する。第１フレーム処理部７８６ａは受信したデータを、シリアルな電気信号７７４に変換して出力する。
【０４７４】
（２−３）判定部
判定部７３２は、実施の形態１の判定部３２と実質的に同じハードウエア構成を有する。
【０４７５】
第１受信部２６ａ、第１送出部２８ａ、および第１検出部３０ａを実現するハードウエアについては、実施の形態６で説明した。判定部７３２は、実施の形態１の判定部３２と同様、第２ＣＰＵ５６ｂ（図８参照）とメモリ１５８により実現される。
【０４７６】
第４受信部２６ｄは、第４トランスポンダ２４ｄの光電気変換回路８５２、第４トランスポンダ２４ｄの集積回路７２６、および第４トランスポンダ２４ｄの電気光変換回路８５４により実現される。
【０４７７】
第４送信部２８ｄは、第４トランスポンダ２４ｄ（図５１参照）の光電気変換回路７５２、第４トランスポンダ２４ｄの集積回路７２６、および第４トランスポンダ２４ｄの電気光変換回路７５４により実現される。
【０４７８】
（３）ソフトウエア
（３−１）プログラム
図５３は、判定部７３２の不揮発性メモリ１６０（図８参照）に記録されるプログラムおよびデータファイル７９４を示す図である。
【０４７９】
実施の形態７の不揮発性メモリ１６０には、第６判定プログラム９０ｆと第１記録プログラム９２ａとが記録される。
【０４８０】
（３−２）データファイル
図５３に示すように、不揮発性メモリ１６０には、第１履歴テーブル９６ａと閾値テーブル１０８とが記録される。第１履歴テーブル９６ａは、実施の形態１の第１履歴テーブル９６ａと実質的に同じテーブルである。閾値テーブル１０８についても同様である。
【０４８１】
（３−３）処理
第２ＣＰＵ５６ｂ（図８参照）は、不揮発性メモリ１６０から第６判定プログラム９０ｆと第１記録プログラム９２ａとを読み出して実行する。第２ＣＰＵ５６ｂは、第６判定第６プログラム９０ｆと第１記録プログラム９２ａとを並行して実行する。第１記録プログラム９２ａについては、実施の形態１で説明した。
【０４８２】
（３−３−１）第６判定処理（第６判定プログラム９０ｆによる処理）
図５４は、第６判定プログラム９０ｆのフローチャートの一例である。第６判定プログラム９０ｆは、判定部７３２（図４９参照）により実行される。換言するならば、第６判定プログラム９０ｆは、判定部７３２を含む受信部７２０により実行される。
【０４８３】
第６判定プログラム９０ｆは、実施の形態２の第２判定プログラム９０ｂ（図２１〜２２参照）に類似している。図５４の破線で示されたステップは、実施の形態２で説明したステップである。
【０４８４】
判定部７３２は、ステップＳ３０８（図２１参照）の代わりに、ステップＳ１３０２を実行する。判定部７３２は更に、ステップＳ５２０（図２２参照）の代わりに、ステップＳ１３０４を実行する。判定部７３２は、トランスポンダを初期化するステップＳ３０４は実行しない。
【０４８５】
−ステップＳ１３０２−
第２ＣＰＵ５６ｂは、ステップＳ４０２〜Ｓ４１２、３０６で第１信号光６ａの第１偏波変動量４６ａの絶対値が第１閾値１１２ａを超えたと判定した場合、光伝送装置１７０３に例えば強度変調された第２信号光７０６ｂを送信させる。具体的には第２ＣＰＵ５６ｂは、ネットワーク管理装置７１２に第３コマンド４８ｃを送信する。
【０４８６】
−ステップＳ１３０４−
第２ＣＰＵ５６ｂは、ステップＳ５０２〜Ｓ５１８の後に第１偏波変動量４６ａの絶対値が第２閾値１１２ｂを一定時間ｔ２の間、下回り続けたと判定した場合には、光伝送装置１７０３に例えば偏波多重変調された第１信号光６ａの送信を再開させる。具体的には第２ＣＰＵ５６ｂは、ネットワーク管理装置７１２に第６コマンド４８ｆを送信する。
【０４８７】
実施の形態７の処理によれば、第１信号光６ａの偏波が落雷により大きく変動する前に、偏波変動の影響を受け難い方法で変調された第２信号光７０６ｂが送信されるので、落雷による伝送エラーが低減される。
【０４８８】
（４）変形例
図５５は、実施の形態７の変形例を示す図である。図５６は、図５５における信号の流れを示す図である。
【０４８９】
以上の例では、受信部７２０（図４８参照）は、第１偏波変動量４６ａの絶対値が第１閾値１１２ａを超えた後は、光伝送装置７０３に第２信号光７０６ｂを、第１光伝送路７１０ａを介して送信させる。しかし、変形例の光伝送装置８０２の受信部８２０は、光伝送装置８０３の送信部８０８に第２信号光７０６ｂを、第１光伝送路７１０ａとは異なる第２光伝送路７１０ｂを介して送信させる。第２光伝送路７１０ｂは例えば、第１光伝送路７１０ａが通るＯＰＧＷとは異なるＯＰＧＷを通る光ファイバである。
【０４９０】
図５７は、変形例の別の例を示す図である。図５８は、図５７における信号の流れを示す図である。図５７の光伝送装置１８０２は、図５５の光伝送装置８０２に相当する。図５７の光伝送装置１８０３は、図５５の光伝送装置８０３に相当する。
【０４９１】
図５５の受信部８２０は例えば、光伝送装置１８０２（図５７参照）の第１受信部２６ａ、光伝送装置１８０２の第４受信部２６ｄ、および光伝送装置１８０２の判定部７３２を含むブロックである。図５５の検出部８２２は例えば、光伝送装置１８０２の第１検出部３０ａに相当する。図５５の送信部８０８は例えば、光伝送装置１８０３の第１送信部２８ａ、および光伝送装置１８０３の第２送信部２８ｂを含むブロックである。
【０４９２】
変形例の光伝送装置１８０２の第１受信部２６ａは、光伝送装置１８０３の第１送信部２８ａに第１光伝送路７１０ａを介して直接接続される。変形例の光伝送装置１８０２の第４受信部２６ｄは、光伝送装置１８０３の第４送信部２８ｄに第２光伝送路７１０ｂを介して直接接続される。従って第２信号光７０６ｂは、第１光伝送路７１０ａとは異なる第２光伝送路７１０ｂを介して光伝送装置８０２、１８０２に送信される。
【０４９３】
変形例によれば、信号光の変調方法と共に信号光の伝送ルートも変更されるので、落雷による伝送エラーを更に低減できる。
【０４９４】
以上のように、実施の形態７の光伝送装置は、第１信号光６ａの第１偏波変動量の絶対値が第１閾値を超えた場合、光伝送路７１０を介して受信部８２０に接続された光伝送装置８０３に、第２信号光７０６ｂを送信させる。第２信号光７０６ｂは、第１信号光の変調方法とは異なる方法で変調され偏波変動の影響を受け難い信号光である。
【０４９５】
実施の形態７の光伝送装置によれば、第１信号光６ａの偏波が落雷により大きく変動する前に、偏波変動の影響を受け難い第２信号光７０６ｂの送信が開始されるので、落雷による伝送エラーが低減できる。
【０４９６】
実施の形態７の光伝送装置は、実施の形態２の処理に類似した処理を行えるように構成されている。しかし実施の形態７の光伝送装置は、実施の形態２の処理の代わりに、実施の形態１、４〜５の処理（第１およ４判定処理、第１〜２調整処理等）に類似した処理を行うように構成されてもよい。
【０４９７】
具体的には、実施の形態７の光伝送装置は例えば、第６判定処理の代わりに、第１または第４判定処理のステップＳ３０８、Ｓ５２０を第６判定処理のステップＳ１３０２、Ｓ１３０４に変更した判定処理を実行してもよい。以上の点以外は、光伝送装置７０２、１７０２、８０２、１８０２は、実施の形態１、４〜６の処理と略同じ処理を行ってもよい。
【０４９８】
以上、本発明の実施形態について説明したが、実施の形態１〜７は、例示であって制限的なものではない。
【０４９９】
例えば、以上の例では検出部２２は、第１信号光６ａの偏波状態を監視している。しかし検出部２２は、第１信号光６ａと同じ光ファイバを伝搬する別の光（以下、モニタ光と呼ぶ）を監視してもよい。モニタ光は例えば、連続光である。
【０５００】
モニタ光が落雷により受ける偏波変動量は、第１信号光６ａが落雷により受ける偏波変動量と略同じである。従って、モニタ光の偏波状態を監視することで、第１信号光６ａの偏波状態を検出することができる。上記モニタ光は例えば、送信部８（図１参照）により第１信号光６ａと共に送出される。第２信号光６ｂの偏波状態の監視（実施の形態３参照）についても同様である。
【０５０１】
また以上の例では、第１信号光６ａおよび第２信号光６ｂは位相（または周波数）が変調された光である。しかし、第１信号光６ａおよび第２信号光６ｂは位相（または周波数）に加え、強度が変調された光であってもよい。
【０５０２】
また以上の例では、光伝送装置の受信部および検出部は、複数のトランスポンダにより実現される。しかし、光伝送装置の受信部および検出部は、光電気変換回路、電気光変換回路、および信号光（例えば、第１信号光、第２信号光、送信光）の送受信のためのデータ処理を行う一つ又は複数の半導体チップにより実現されてもよい。半導体チッは例えば、ＦＰＧＡ（field-programmable gate array）やＡＳＩＣである。
【０５０３】
また以上の例では、複数の処理が第２ＣＰＵにより実行される。しかし、第２ＣＰＵが実行する処理は、複数のＣＰＵ（すなわち、マルチプロセッサ）により実行されてもよい。第１ＣＰＵが実行する処理についても同様である。
【０５０４】
また以上の例では、第２ＣＰＵはシングルコアのプロセッサである。しかし、第２ＣＰＵはマルチコアのプロセッサであってもよい。第１ＣＰＵについても同様である。
【０５０５】
また以上の例では、第１信号光および第２信号光は、それぞれ単数である。しかし、第１信号光および第２信号光は夫々、波長多重された複数の信号光であってもよい。
【０５０６】
また以上の例では、第２ルートは一つである。しかし第２ルートは、複数であってもよい。
【０５０７】
以上の実施の形態１〜７に関し、更に以下の付記を開示する。
【０５０８】
（付記１）
第１信号光を第１ルートから受信する第１受信部と、
偏波状態を示すパラメータの一定時間内の変化量であって前記第１ルートから受信した前記第１信号光の前記変化量である第１偏波変動量を検出する検出部と、
検出された前記第１偏波変動量の絶対値が第１閾値を超えた場合に、前記第１ルートとは異なる第２ルートから第２信号光を受信する第２受信部と、
を有することを特徴とする光伝送装置。
【０５０９】
（付記２）
前記第１受信部は、前記第２信号光の前記受信の開始後に検出された前記第１偏波変動量の絶対値が前記第１閾値より小さい第２閾値を一定の時間下回り続けた場合に、前記第１信号光を受信することを
特徴とする付記１に記載の光伝送装置。
【０５１０】
（付記３）
前記検出部は更に、前記第２ルートからの前記第２信号光の前記変化量である第２偏波変動量を検出し、
前記第２受信部は、前記第１偏波変動量の絶対値が前記第１閾値を超える前に、検出された前記第２偏波変動量の絶対値が第３閾値を超えた場合、前記第２信号光の前記受信を保留することを
特徴とする付記１又は２に記載の光伝送装置。
【０５１１】
（付記４）
前記第１受信部は、前記第２信号光の前記受信が開始する前に前記第１信号光の前記受信が中断した場合、前記第１閾値を減少させることを
特徴とする付記１乃至３のいずれか１項に記載の光伝送装置。
【０５１２】
（付記５）
前記第１受信部は、前記第１信号光の前記受信と前記第２信号光の前記受信とが繰り返されながら前記第１信号光の前記受信が中断されない場合、前記第１閾値を増加させることを
特徴とする付記２乃至４のいずれか１項に記載の光伝送装置。
【０５１３】
（付記６）
前記第１偏波変動量の絶対値が前記第１閾値を超える前は前記第１受信部が前記第１信号光から再生した情報を出力し、前記第１偏波変動量の絶対値が前記第１閾値を超えた場合に、前記第２受信部が前記第２信号光から再生した情報を出力することを
特徴とする付記１乃至５のいずれか１項に記載の光伝送装置。
【０５１４】
（付記７）  
第１ルートからの第１信号光と第２ルートからの第２信号光とを受信するルート切替え部と、
偏波状態を示すパラメータの一定時間内の変化量であって前記第１信号光の前記変化量である第１偏波変動量を検出する検出部と、
第３受信部とを有し、
前記ルート切替え部は、前記第１偏波変動量の絶対値が第１閾値を超える前は前記第１信号光を前記第３受信部に送信し、前記第１偏波変動量の絶対値が前記第１閾値を超えた場合に、前記第２信号光を前記第３受信部に送信することを
特徴とする光伝送装置。
【０５１５】
（付記８）
前記第１信号光および前記第２信号光は、位相または周波数が変調された光であり、
前記第１ルートは、旋回しながら延在する導線が巻き付いた領域を通り、
前記第２ルートは、前記領域の外側を通ることを
特徴とする付記１乃至７のいずれか１項に記載の光伝送装置。      
【０５１６】
（付記９）
光伝送路からの信号光を受信する受信部と、
偏波状態を示すパラメータの一定時間内の変化量であって前記受信部が受信する光の前記変化量である第１偏波変動量を検出する検出部とを有し、
前記受信部は、前記光伝送路である第１光伝送路からの第１信号光を受信し、検出された前記第１偏波変動量の絶対値が前記第１閾値を超えた場合に、前記第１信号光の変調方法とは異なる方法で変調されビットレートが前記第１信号光より低い第２信号光を、前記光伝送路を介して前記受信部に接続された装置に、前記光伝送路であって前記第１光伝送路とは異なる第２光伝送路または前記第１光伝送路を介して送信させる
光伝送装置。
【０５１７】
（付記１０）
前記第１信号光は、位相または周波数が変調された光であり、
前記第２信号光は、強度が変調された光であることを
特徴とする付記９に記載の光伝送装置。
【０５１８】
（付記１１）
前記光伝送路は、旋回しながら延在する導線が巻き付いた領域を通る光ファイバであることを
特徴とする付記９又は１０に記載の光伝送装置。
【０５１９】
（付記１２）
第１信号光を第１ルートから受信し、
偏波状態を示すパラメータの一定時間内の変化量であって前記第１ルートから受信した光の前記変化量である第１偏波変動量を検出し、
検出された前記第１偏波変動量の絶対値が第１閾値を超えた場合に、前記第１ルートとは異なる第２ルートから第２信号光を受信する
ことを特徴とする光伝送方法。
【符号の説明】
【０５２０】
２・・・光伝送装置
６ａ・・・第１信号光
６ｂ・・・第２信号光
１０ａ・・・第１ルート
１０ｂ・・・第２ルート
２０・・・受信部
２２・・・検出部
４２・・・情報
７０２・・・光伝送装置
７１０・・・光伝送路
７２０・・・受信部
７２２・・・検出部
７０６ｂ・・・第２信号光
【図１】
2018207181.tif 000003
【図２】
2018207181.tif 000004
【図３】
2018207181.tif 000005
【図４】
2018207181.tif 000006
【図５】
2018207181.tif 000007
【図６】
2018207181.tif 000008
【図７】
2018207181.tif 000009
【図８】
2018207181.tif 000010
【図９】
2018207181.tif 000011
【図１０】
2018207181.tif 000012
【図１１】
2018207181.tif 000013
【図１２】
2018207181.tif 000014
【図１３】
2018207181.tif 000015
【図１４】
2018207181.tif 000016
【図１５】
2018207181.tif 000017
【図１６】
2018207181.tif 000018
【図１７】
2018207181.tif 000019
【図１８】
2018207181.tif 000020
【図１９】
2018207181.tif 000021
【図２０】
2018207181.tif 000022
【図２１】
2018207181.tif 000023
【図２２】
2018207181.tif 000024
【図２３】
2018207181.tif 000025
【図２４】
2018207181.tif 000026
【図２５】
2018207181.tif 000027
【図２６】
2018207181.tif 000028
【図２７】
2018207181.tif 000029
【図２８】
2018207181.tif 000030
【図２９】
2018207181.tif 000031
【図３０】
2018207181.tif 000032
【図３１】
2018207181.tif 000033
【図３２】
2018207181.tif 000034
【図３３】
2018207181.tif 000035
【図３４】
2018207181.tif 000036
【図３５】
2018207181.tif 000037
【図３６】
2018207181.tif 000038
【図３７】
2018207181.tif 000039
【図３８】
2018207181.tif 000040
【図３９】
2018207181.tif 000041
【図４０】
2018207181.tif 000042
【図４１】
2018207181.tif 000043
【図４２】
2018207181.tif 000044
【図４３】
2018207181.tif 000045
【図４４】
2018207181.tif 000046
【図４５】
2018207181.tif 000047
【図４６】
2018207181.tif 000048
【図４７】
2018207181.tif 000049
【図４８】
2018207181.tif 000050
【図４９】
2018207181.tif 000051
【図５０】
2018207181.tif 000052
【図５１】
2018207181.tif 000053
【図５２】
2018207181.tif 000054
【図５３】
2018207181.tif 000055
【図５４】
2018207181.tif 000056
【図５５】
2018207181.tif 000057
【図５６】
2018207181.tif 000058
【図５７】
2018207181.tif 000059
【図５８】
2018207181.tif 000060